(57)【要約】【課題】本発明は、草書体文字の型を容易に習得することができる草書体文字の練習方法を提供する。【解決手段】本発明に係る草書体文字の練習方法は、草書体文字を複数の構成片に分解し、各構成片にそれぞれ近似した数字やアルファベットや片仮名や平仮名や記号等を選択し、これを近似構成片とし、この近似構成片を組み合わせて草書体文字に近似した草書体近似型を構成し、この草書体近似型を模写しながら草書体文字の練習をすることとした。【選択図】  図１
2011221379.tif 000002
【特許請求の範囲】
【請求項１】
草書体文字を複数の構成片に分解し、各構成片にそれぞれ近似した数字やアルファベットや片仮名や平仮名や記号等を選択し、これを近似構成片とし、この近似構成片を組み合わせて草書体文字に近似した草書体近似型を構成し、この草書体近似型を模写しながら草書体文字の練習をする
ことを特徴とする草書体文字の練習方法。
【請求項２】
草書体文字には、行草体文字を含むことを特徴とする請求項１に記載の草書体文字の練習方法。
【請求項３】
「組」の草書体文字に近似した草書体近似型を平仮名の「つ」と、一般記号の「）」と、一般記号の「（」と、アルファベットの「ｂ」と、数字の「２」の近似構成片により構成したことを特徴とする請求項１に記載の草書体文字の練習方法。
【請求項４】
「道」の草書体文字に近似した草書体近似型を片仮名の「ソ」と、平仮名の「ろ」と、反比例の曲線に描いた特殊記号の近似構成片により構成したことを特徴とする請求項１に記載の草書体文字の練習方法。
【請求項５】
「取」の草書体文字に近似した草書体近似型をアルファベットの「ｚ」と、一般記号の「）」と、一般記号の「＜」の近似構成片により構成したことを特徴とする請求項１に記載の草書体文字の練習方法。
【請求項６】
「町」の草書体文字に近似した草書体近似型を片仮名の「フ」と、数字の「２」と、一般記号の「−」と、一般記号の「）」の近似構成片により構成したことを特徴とする請求項１に記載の草書体文字の練習方法。
【請求項７】
「秒」の草書体文字に近似した草書体近似型を一般記号の「／」と、一般記号の「）」と、数字の「２」、縦棒に描いた特殊記号と、平仮名の「の」の近似構成片により構成したことを特徴とする請求項１に記載の草書体文字の練習方法。
【請求項８】
「原」の草書体文字に近似した草書体近似型を平仮名の「ろ」と、釣り針状に描いた特殊記号と、レ点として描いた特殊記号と、一般記号の「）」の近似構成片により構成したことを特徴とする請求項１に記載の草書体文字の練習方法。
【請求項９】
「研」の草書体文字に近似した草書体近似型を平仮名の「ろ」と、一般記号の「／」と、短い縦棒に描いた特殊記号と、数字の４を左側を頭にして寝かして描いた特殊記号の近似構成片により構成したことを特徴とする請求項１に記載の草書体文字の練習方法。
【請求項１０】
「話」の草書体文字に近似した草書体近似型を右下がりの斜め線に描いた特殊記号ｃ１と、数字の「７」と、一般記号の「／」と、一般記号の「／」と、平仮名の「ち」の近似構成片により構成したことを特徴とする請求項１に記載の草書体文字の練習方法。
【請求項１１】
「王」の草書体文字に近似した草書体近似型を数字の「７」と、数字の「２」の近似構成片により構成したことを特徴とする請求項１に記載の草書体文字の練習方法。
【請求項１２】
「組」の行草体文字に近似した行草体近似型を一般記号の「／」と、数字の「３」と、レ点として描いた特殊記号と、アルファベットの「ｂ」と、数字の「２」の近似構成片により構成したことを特徴とする請求項２に記載の行草体文字の練習方法。
【請求項１３】
「道」の行草体文字に近似した行草体近似型を片仮名の「ソ」と、一般記号の「−」と、アルファベットの「ｂ」と、上側の括弧に描いた特殊記号と、短い縦棒に描いた特殊記号と、反比例の曲線に描いた特殊記号の近似構成片により構成したことを特徴とする請求項２に記載の行草体文字の練習方法。
【請求項１４】
「取」の行草体文字に近似した行草体近似型をアルファベットの「ｚ」と、アルファベットの「ｙ」と、数字の「２」の近似構成片により構成したことを特徴とする請求項２に記載の行草体文字の練習方法。
【請求項１５】
「町」の行草体文字に近似した行草体近似型をアルファベットの「ｂ」と、一般記号の「−」と、一般記号の「）」の近似構成片により構成したことを特徴とする請求項２に記載の行草体文字の練習方法。
【請求項１６】
「秒」の行草体文字に近似した行草体近似型を一般記号の「／」と、釣り針状に描いた特殊記号と、アルファベットの「ｚ」と、一般記号の「）」と、アルファベットの「ｓ」の近似構成片により構成したことを特徴とする請求項２に記載の行草体文字の練習方法。
【請求項１７】
「原」の行草体文字に近似した行草体近似型を英数字の「７」と、アルファベットの「ｂ」と、上側の括弧に描いた特殊記号と、釣り針状に描いた特殊記号と、レ点として描いた特殊記号と、一般記号の「）」の近似構成片により構成したことを特徴とする請求項２に記載の行草体文字の練習方法。
【請求項１８】
「研」の行草体文字に近似した行草体近似型を数字の「７」と、数字の「１」と、数字の「２」と、片仮名の「フ」と、片仮名の「サ」の近似構成片により構成したことを特徴とする請求項２に記載の行草体文字の練習方法。
【請求項１９】
「話」の行草体文字に近似した行草体近似型を片仮名の「ラ」と、アルファベットの「ｚ」と、片仮名の「レ」と、一般記号の「／」と、数字の４を反転して描いた特殊記号と、数字の「１」と、数字の「２」の近似構成片により構成したことを特徴とする請求項２に記載の行草体文字の練習方法。
【請求項２０】
「王」の行草体文字に近似した行草体近似型を数字の「７」と、数字の「２」の近似構成片により構成したことを特徴とする請求項２に記載の行草体文字の練習方法。
【発明の詳細な説明】
【技術分野】
【０００１】
本発明は、漢字や平仮名等の書体の中でも難しいとされる草書体文字の練習方法に関する。
【背景技術】
【０００２】
従来、文字書体には漢字や平仮名に関して各種の書体が考えられている。一般に、基本的な源流となる書体は図１１７に示すような隷書体（イ）と称されるものであり、この隷書体（イ）から草書体（ロ）、行書体（ハ）、楷書体（ニ）等の書体が分流されている。かかる各種書体以外に、古来より手紙文に使用されている書体として（ホ）行草体という独特の書体が存在する。これは、書体のうち、行書体と草書体との中間に位置する書体であり、書きやすさと読みやすさを兼ねそなえていることから、古来より日常的に使用され、特に手紙文などには頻繁に使用される。このように行草体は、文字書体のなかでも今日最も人気のある文字書体として知られている。これは、隷書体を崩して流れるような筆流で書するものであるため初心者には書くことが難しく、通常は模範となる行草体で書き示した漢字や平仮名等の文字を模倣しながら繰り返し練習して行草体文字の型を覚える。特に行草体文字を構成する構成片が独特の型をしているため、その構成片の型を覚えることから初めて、次いで構成片の組合せのバランスを覚えて全体の行草体文字を習得していく。この理は、行草体の基本となる草書体においても同様である。文字の書体の変遷から見れば、上記したように隷書体から草書体が分流しているため、本来は草書体が行草体の基本として位置しており、そのため、基本的には草書体文字を習得してから行草体文字の型も覚えて行草体文字の習得へと移行するのが自然である。しかし、草書体文字の型と行草体文字の型を並行しながら二文字書体を同時に習得する場合もあり、或は、それぞれの型を個別に習得する場合もある。
【０００３】
上記のように模範となる文字を模倣しながら練習する方法として、例えば、特許文献１に示すように、模範文字を見ながら練習文字を入力できる文字学習機を使用することが開示されている。かかる文字学習機は、表示装置に模範文字を表示し、表示装置に表示された模範文字を見ながら練習文字を手書き入力手段で入力し、この手書き入力手段により入力された練習文字の筆圧情報を記憶し、模範文字の筆圧情報と練習文字の筆圧情報とを比較して、模範文字と練習文字との１画１画における相違点を指摘するように構成されている。しかし、この文字学習機では、楷書体の模範文字を練習するに過ぎないものであるため、草書体や行草体の練習を行うためには、その独特の書体の故に上記のような楷書体の模範文字練習を行う文字学習機では、不充分であり、草書体や行草体の練習を簡便に行うことは難い。
【先行技術文献】
【特許文献】
【０００４】
【特許文献１】特開平７−１２１０９８号公報
【発明の概要】
【発明が解決しようとする課題】
【０００５】
このように、従来の文字学習機では、楷書体の模範文字を見ながら入力手段を用いて練習するものであるため、仮に文字学習機を改良して草書体の文字を練習できるようにしたとしても、初心者が独特の型を有する草書体文字を構成する構成片を覚えながら、さらに、構成片の組合せのバランスを覚えて全体の草書体文字を習得することは、至難の技であった。
【０００６】
本発明は、斯かる事情に鑑みてなされたものであって、草書体文字の型を容易に習得することができる草書体文字の練習方法を提供することを目的とする。
【課題を解決するための手段】
【０００７】
上記従来の課題を解決するために、請求項１に記載の草書体文字の練習方法は、草書体文字を複数の構成片に分解し、各構成片にそれぞれ近似した数字やアルファベットや片仮名や平仮名や記号等を選択し、これを近似構成片とし、この近似構成片を組み合わせて草書体文字に近似した草書体近似型を構成し、この草書体近似型を模写しながら草書体文字の練習をすることとした。
【０００８】
請求項２に記載の発明は、請求項１に記載の草書体文字の練習方法において、草書体文字には、行草体文字を含むことを特徴とする。
【０００９】
請求項３に記載の発明は、「組」の草書体文字に近似した草書体近似型を平仮名の「つ」と、一般記号の「）」と、一般記号の「（」と、アルファベットの「ｂ」と、数字の「２」の近似構成片により構成したことを特徴とする。
【００１０】
請求項４に記載の発明は、「道」の草書体文字に近似した草書体近似型を片仮名の「ソ」と、平仮名の「ろ」と、反比例の曲線に描いた特殊記号の近似構成片により構成したことを特徴とする。
【００１１】
請求項５に記載の発明は、「取」の草書体文字に近似した草書体近似型をアルファベットの「ｚ」と、一般記号の「）」と、一般記号の「＜」の近似構成片により構成したことを特徴とする。
【００１２】
請求項６に記載の発明は、「町」の草書体文字に近似した草書体近似型を片仮名の「フ」と、数字の「２」と、一般記号の「−」と、一般記号の「）」の近似構成片により構成したことを特徴とする。
【００１３】
請求項７に記載の発明は、「秒」の草書体文字に近似した草書体近似型を一般記号の「／」と、一般記号の「）」と、数字の「２」、縦棒に描いた特殊記号と、平仮名の「の」の近似構成片により構成したことを特徴とする。
【００１４】
請求項８に記載の発明は、「原」の草書体文字に近似した草書体近似型を平仮名の「ろ」と、釣り針状に描いた特殊記号と、レ点として描いた特殊記号と、一般記号の「）」の近似構成片により構成したことを特徴とする。
【００１５】
請求項９に記載の発明は、「研」の草書体文字に近似した草書体近似型を平仮名の「ろ」と、一般記号の「／」と、短い縦棒に描いた特殊記号と、数字の４を左側を頭にして寝かして描いた特殊記号の近似構成片により構成したことを特徴とする。
【００１６】
請求項１０に記載の発明は、「話」の草書体文字に近似した草書体近似型を右下がりの斜め線に描いた特殊記号と、数字の「７」と、一般記号の「／」と、一般記号の「／」と、平仮名の「ち」の近似構成片により構成したことを特徴とする。
【００１７】
請求項１１に記載の発明は、「王」の草書体文字に近似した草書体近似型を数字の「７」と、数字の「２」の近似構成片により構成したことを特徴とする。
【００１８】
請求項１２に記載の発明は、「組」の行草体文字に近似した行草体近似型を一般記号の「／」と、数字の「３」と、レ点として描いた特殊記号と、アルファベットの「ｂ」と、数字の「２」の近似構成片により構成したことを特徴とする。
【００１９】
請求項１３に記載の発明は、「道」の行草体文字に近似した行草体近似型を片仮名の「ソ」と、一般記号の「−」と、アルファベットの「ｂ」と、上側の括弧に描いた特殊記号と、短い縦棒に描いた特殊記号と、反比例の曲線に描いた特殊記号の近似構成片により構成したことを特徴とする。
【００２０】
請求項１４に記載の発明は、「取」の行草体文字に近似した行草体近似型をアルファベットの「ｚ」と、アルファベットの「ｙ」と、数字の「２」の近似構成片により構成したことを特徴とする。
【００２１】
請求項１５に記載の発明は、「町」の行草体文字に近似した行草体近似型をアルファベットの「ｂ」と、一般記号の「−」と、一般記号の「）」の近似構成片により構成したことを特徴とする。
【００２２】
請求項１６に記載の発明は、「秒」の行草体文字に近似した行草体近似型を一般記号の「／」と、釣り針状に描いた特殊記号と、アルファベットの「ｚ」と、一般記号の「）」と、アルファベットの「ｓ」の近似構成片により構成したことを特徴とする。
【００２３】
請求項１７に記載の発明は、「原」の行草体文字に近似した行草体近似型を英数字の「７」と、アルファベットの「ｂ」と、上側の括弧に描いた特殊記号と、釣り針状に描いた特殊記号と、レ点として描いた特殊記号と、一般記号の「）」の近似構成片により構成したことを特徴とする。
【００２４】
請求項１８に記載の発明は、「研」の行草体文字に近似した行草体近似型を数字の「７」と、数字の「１」と、数字の「２」と、片仮名の「フ」と、片仮名の「サ」の近似構成片により構成したことを特徴とする。
【００２５】
請求項１９に記載の発明は、「話」の行草体文字に近似した行草体近似型を片仮名の「ラ」と、アルファベットの「ｚ」と、片仮名の「レ」と、一般記号の「／」と、数字の４を反転して描いた特殊記号と、数字の「１」と、数字の「２」の近似構成片により構成したことを特徴とする。
【００２６】
請求項２０に記載の発明は、「王」の行草体文字に近似した行草体近似型を数字の「７」と、数字の「２」の近似構成片により構成したことを特徴とする。
【発明の効果】
【００２７】
本発明によれば、草書体文字を複数の構成片に分解し、各構成片にそれぞれ近似した数字やアルファベットや片仮名や平仮名や記号等を選択し、これを近似構成片とし、この近似構成片を組み合わせて行草体文字に近似した草書体近似型を構成するので、草書体文字に大略近似した型を簡単に覚えることができ、覚えたこの全体型を模写しながら草書体文字の練習をするので、短期間のうちに難しい行草体文字の型を習得し易くなる効果がある。
【図面の簡単な説明】
【００２８】
【図１】「病」の漢文字の草書体文字の練習方法を示す概念図である。
【図２】「病」の漢文字の行草体文字の練習方法を示す概念図である。
【図３】「飯」の漢文字の草書体文字の練習方法を示す概念図である。
【図４】「飯」の漢文字の行草体文字の練習方法を示す概念図である。
【図５】「行」の漢文字の草書体文字の練習方法を示す概念図である。
【図６】「行」の漢文字の行草体文字の練習方法を示す概念図である。
【図７】「見」の漢文字の草書体文字の練習方法を示す概念図である。
【図８】「見」の漢文字の行草体文字の練習方法を示す概念図である。
【図９】「組」の漢文字の草書体文字の練習方法を示す概念図である。
【図１０】「組」の漢文字の行草体文字の練習方法を示す概念図である。
【図１１】「道」の漢文字の草書体文字の練習方法を示す概念図である。
【図１２】「道」の漢文字の行草体文字の練習方法を示す概念図である。
【図１３】「局」の漢文字の草書体文字の練習方法を示す概念図である。
【図１４】「局」の漢文字の行草体文字の練習方法を示す概念図である。
【図１５】「東」の漢文字の草書体文字の練習方法を示す概念図である。
【図１６】「東」の漢文字の行草体文字の練習方法を示す概念図である。
【図１７】「日」の漢文字の草書体文字の練習方法を示す概念図である。
【図１８】「日」の漢文字の行草体文字の練習方法を示す概念図である。
【図１９】「白」の漢文字の草書体文字の練習方法を示す概念図である。
【図２０】「白」の漢文字の行草体文字の練習方法を示す概念図である。
【図２１】「木」の漢文字の草書体文字の練習方法を示す概念図である。
【図２２】「木」の漢文字の行草体文字の練習方法を示す概念図である。
【図２３】「口」の漢文字の草書体文字の練習方法を示す概念図である。
【図２４】「口」の漢文字の行草体文字の練習方法を示す概念図である。
【図２５】「先」の漢文字の草書体文字の練習方法を示す概念図である。
【図２６】「先」の漢文字の行草体文字の練習方法を示す概念図である。
【図２７】「文」の漢文字の草書体文字の練習方法を示す概念図である。
【図２８】「文」の漢文字の行草体文字の練習方法を示す概念図である。
【図２９】「山」の漢文字の草書体文字の練習方法を示す概念図である。
【図３０】「山」の漢文字の行草体文字の練習方法を示す概念図である。
【図３１】「金」の漢文字の草書体文字の練習方法を示す概念図である。
【図３２】「金」の漢文字の行草体文字の練習方法を示す概念図である。
【図３３】「取」の漢文字の草書体文字の練習方法を示す概念図である。
【図３４】「取」の漢文字の行草体文字の練習方法を示す概念図である。
【図３５】「収」の漢文字の草書体文字の練習方法を示す概念図である。
【図３６】「収」の漢文字の行草体文字の練習方法を示す概念図である。
【図３７】「耳」の漢文字の草書体文字の練習方法を示す概念図である。
【図３８】「耳」の漢文字の行草体文字の練習方法を示す概念図である。
【図３９】「名」の漢文字の草書体文字の練習方法を示す概念図である。
【図４０】「名」の漢文字の行草体文字の練習方法を示す概念図である。
【図４１】「町」の漢文字の草書体文字の練習方法を示す概念図である。
【図４２】「町」の漢文字の行草体文字の練習方法を示す概念図である。
【図４３】「斗」の漢文字の草書体文字の練習方法を示す概念図である。
【図４４】「斗」の漢文字の行草体文字の練習方法を示す概念図である。
【図４５】「秒」の漢文字の草書体文字の練習方法を示す概念図である。
【図４６】「秒」の漢文字の行草体文字の練習方法を示す概念図である。
【図４７】「石」の漢文字の草書体文字の練習方法を示す概念図である。
【図４８】「石」の漢文字の行草体文字の練習方法を示す概念図である。
【図４９】「原」の漢文字の草書体文字の練習方法を示す概念図である。
【図５０】「原」の漢文字の行草体文字の練習方法を示す概念図である。
【図５１】「水」の漢文字の草書体文字の練習方法を示す概念図である。
【図５２】「水」の漢文字の行草体文字の練習方法を示す概念図である。
【図５３】「研」の漢文字の草書体文字の練習方法を示す概念図である。
【図５４】「研」の漢文字の行草体文字の練習方法を示す概念図である。
【図５５】「刑」の漢文字の草書体文字の練習方法を示す概念図である。
【図５６】「刑」の漢文字の行草体文字の練習方法を示す概念図である。
【図５７】「話」の漢文字の草書体文字の練習方法を示す概念図である。
【図５８】「話」の漢文字の行草体文字の練習方法を示す概念図である。
【図５９】「右」の漢文字の草書体文字の練習方法を示す概念図である。
【図６０】「右」の漢文字の行草体文字の練習方法を示す概念図である。
【図６１】「宇」の漢文字の草書体文字の練習方法を示す概念図である。
【図６２】「宇」の漢文字の行草体文字の練習方法を示す概念図である。
【図６３】「汁」の漢文字の草書体文字の練習方法を示す概念図である。
【図６４】「汁」の漢文字の行草体文字の練習方法を示す概念図である。
【図６５】「土」の漢文字の草書体文字の練習方法を示す概念図である。
【図６６】「土」の漢文字の行草体文字の練習方法を示す概念図である。
【図６７】「知」の漢文字の草書体文字の練習方法を示す概念図である。
【図６８】「知」の漢文字の行草体文字の練習方法を示す概念図である。
【図６９】「何」の漢文字の草書体文字の練習方法を示す概念図である。
【図７０】「何」の漢文字の行草体文字の練習方法を示す概念図である。
【図７１】「往」の漢文字の草書体文字の練習方法を示す概念図である。
【図７２】「往」の漢文字の行草体文字の練習方法を示す概念図である。
【図７３】「休」の漢文字の草書体文字の練習方法を示す概念図である。
【図７４】「休」の漢文字の行草体文字の練習方法を示す概念図である。
【図７５】「細」の漢文字の草書体文字の練習方法を示す概念図である。
【図７６】「細」の漢文字の行草体文字の練習方法を示す概念図である。
【図７７】「得」の漢文字の草書体文字の練習方法を示す概念図である。
【図７８】「得」の漢文字の行草体文字の練習方法を示す概念図である。
【図７９】「宙」の漢文字の草書体文字の練習方法を示す概念図である。
【図８０】「宙」の漢文字の行草体文字の練習方法を示す概念図である。
【図８１】「私」の漢文字の草書体文字及び行草体文字の練習方法を示す概念図である。
【図８２】「王」の漢文字の草書体文字及び行草体文字の練習方法を示す概念図である。
【図８３】「信」の漢文字の草書体文字及び行草体文字の練習方法を示す概念図である。
【図８４】「南」の漢文字の草書体文字及び行草体文字の練習方法を示す概念図である。
【図８５】「引」の漢文字の草書体文字及び行草体文字の練習方法を示す概念図である。
【図８６】「赤」の漢文字の草書体文字及び行草体文字の練習方法を示す概念図である。
【図８７】「夕」の漢文字の草書体文字及び行草体文字の練習方法を示す概念図である。
【図８８】「林」の漢文字の草書体文字及び行草体文字の練習方法を示す概念図である。
【図８９】「百」の漢文字の草書体文字及び行草体文字の練習方法を示す概念図である。
【図９０】「糸」の漢文字の草書体文字及び行草体文字の練習方法を示す概念図である。
【図９１】草書体文字及び行草体文字の練習方法に使用するテキストを示す説明図である。
【図９２】草書体文字及び行草体文字の練習方法に使用するテキストを示す説明図である。
【図９３】草書体文字及び行草体文字の練習方法に使用するテキストを示す説明図である。
【図９４】草書体文字及び行草体文字の練習方法に使用するテキストを示す説明図である。
【図９５】草書体文字及び行草体文字の練習方法に使用するテキストを示す説明図である。
【図９６】草書体文字及び行草体文字の練習方法に使用するテキストを示す説明図である。
【図９７】草書体文字及び行草体文字の練習方法に使用するテキストを示す説明図である。
【図９８】草書体文字及び行草体文字の練習方法に使用するテキストを示す説明図である。
【図９９】草書体文字及び行草体文字の練習方法に使用するテキストを示す説明図である。
【図１００】草書体文字及び行草体文字の練習方法に使用するテキストを示す説明図である。
【図１０１】草書体文字及び行草体文字の練習方法に使用するテキストを示す説明図である。
【図１０２】草書体文字及び行草体文字の練習方法に使用するテキストを示す説明図である。
【図１０３】草書体文字及び行草体文字の練習方法に使用するテキストを示す説明図である。
【図１０４】草書体文字及び行草体文字の練習方法に使用するテキストを示す説明図である。
【図１０５】草書体文字及び行草体文字の練習方法に使用するテキストを示す説明図である。
【図１０６】草書体文字及び行草体文字の練習方法に使用するテキストを示す説明図である。
【図１０７】草書体文字及び行草体文字の練習方法に使用するテキストを示す説明図である。
【図１０８】草書体文字及び行草体文字の練習方法に使用するテキストを示す説明図である。
【図１０９】草書体文字及び行草体文字の練習方法に使用するテキストを示す説明図である。
【図１１０】草書体文字及び行草体文字の練習方法に使用するテキストを示す説明図である。
【図１１１】草書体文字及び行草体文字の練習方法に使用するテキストを示す説明図である。
【図１１２】草書体文字及び行草体文字の練習方法に使用するテキストを示す説明図である。
【図１１３】草書体文字及び行草体文字の練習方法に使用するテキストを示す説明図である。
【図１１４】草書体文字及び行草体文字の練習方法に使用するテキストを示す説明図である。
【図１１５】草書体文字及び行草体文字の練習方法に使用するテキストを示す説明図である。
【図１１６】近似構成片を示す表である。
【図１１７】書体の変遷を示す説明図である。
【発明を実施するための形態】
【００２９】
この発明の実施例を図面に基づき詳説する。
【００３０】
本実施形態の一例として、５０種の漢文字を選択し、各種の漢文字における草書体文字及び行草体文字について説明する。図１〜図５０は、各種の漢文字の草書体文字及び行草体文字の練習方法を示す概念図である。図１１６は、近似構成片を示す表である。なお、図中の細線部分は、符号で指定した部分が分かり易いように周辺の太線と区別したに過ぎないものであり、実際は、細線とするものではなく、太線と同様に一体の書体として書くものである。
【００３１】
［１−１．「病」の漢文字の草書体文字］
「病」という漢文字の草書体文字について説明する。
【００３２】
「病」の漢文字は、図１に示すような草書体の型で書されている。この「病」の漢文字の草書体を練習して記憶するためには、まず「病」の漢文字の草書体１１ａを４個の漢文字構成要素としての構成片に分解する。すなわち、上側構成片と中央構成片と中央下側構成片と下側構成片の４個の構成片に分解する。
【００３３】
そして、上側、中央、中央下側、下側の各構成片に近似する型を有する数字や特殊記号や一般記号やアルファベットや片仮名や平仮名を捜す。
【００３４】
例えば、上側構成片は、右下がりの斜め線に描いた特殊記号ｃ１に近似しており、中央構成片は、数字の「７」に近似しており、中央下側構成片は平仮名の「ろ」に近似しており、下側構成片は、アルファベットの「Ｓ」に近似している。
このように「病」の草書体漢字の各構成片を特殊記号ｃ１と「７」と「ろ」と「Ｓ」の近似型になぞらえて、これらの各構成片を近似構成片１２ｂ，１３ｂ，１４ｂ、１５ｂとし、これを記憶し、或はこれら近似構成片１２ｂ，１３ｂ，１４ｂ，１５ｂを見ながら、最終的に「病」の草書体漢字に近似した草書体文字１１ｂを描くことが出来る。
【００３５】
このようにして「病」の草書体漢字に大略近似した近似構成片よりなる全体型を覚えておけば、本来の「病」の草書体漢字の型を習得し易くなる。
【００３６】
［１−２．「病」の漢文字の行草体文字］
「病」という漢文字の行草体文字について説明する。
【００３７】
「病」の漢文字は、図２に示すような行草体の型で書されている。この「病」の漢文字の行草体を練習して記憶するためには、まず「病」の漢文字の行草体１１ｃを６個の漢文字構成要素としての構成片に分解する。すなわち、上側構成片と中央構成片と左側構成片と中央下側構成片と中央右側構成片と下側構成片の６個の構成片に分解する。
【００３８】
そして、上側、中央、左側、中央下側、中央右側、下側の各構成片に近似する型を有する数字や特殊記号や一般記号やアルファベットや片仮名や平仮名を捜す。
【００３９】
例えば、上側構成片は、右下がりの斜め線に描いた特殊記号ｃ１に近似しており、中央構成片は、数字の「７」に近似しており、左側構成片は一般記号の「／」に近似しており、中央下側構成片は、平仮名の「ろ」に近似しており、中央右側構成片は、一般記号の「／」に近似しており、下側構成片は、片仮名の「フ」に近似している。
このように「病」の草書体漢字の各構成片を特殊記号ｃ１と「７」と「／」と「ろ」と「／」と「フ」の近似型になぞらえて、これらの各構成片を近似構成片１２ｄ，１３ｄ，１４ｄ，１５ｄｆ，１６ｄ，１７ｄとし、これを記憶し、或はこれら近似構成片１２ｄ，１３ｄ，１４ｄ，１５ｄ，１６ｄ，１７ｄを見ながら、最終的に「病」の行草体漢字に近似した行草体文字１１ｄを描くことが出来る。
【００４０】
このようにして「病」の行草体漢字に大略近似した近似構成片よりなる全体型を覚えておけば、本来の「病」の行草体漢字の型を習得し易くなる。
【００４１】
［２−１．「飯」の漢文字の草書体文字］
「飯」という漢文字の草書体文字について説明する。
【００４２】
「飯」の漢文字は、図３に示すような草書体の型で書されている。この「飯」の漢文字の草書体を練習して記憶するためには、まず「飯」の漢文字の草書体２１ａを５個の漢文字構成要素としての構成片に分解する。すなわち、第１左上側構成片と第２左上側構成片と左中央側構成片と左下側構成片と右側構成片の５個の構成片に分解する。
【００４３】
そして、第１左上側、第２左上側、左中央側、左下側、右側の各構成片に近似する型を有する数字や特殊記号や一般記号やアルファベットや片仮名や平仮名を捜す。
【００４４】
例えば、第１左上側構成片は、一般記号の「／」に近似しており、第２左上側構成片は、平仮名の「つ」に近似しており、左中央側構成片は、一般記号の「）」に近似しており、左下側構成片は、片仮名の「レ」に近似しており、右側構成片は、平仮名の「る」に近似している。
このように「飯」の草書体漢字の各構成片を「／」と「つ」と「）」と「レ」と「る」の近似型になぞらえて、これらの各構成片を近似構成片２２ｂ，２３ｂ，２４ｂ、２５ｂ，２６ｂとし、これを記憶し、或はこれら近似構成片２２ｂ，２３ｂ，２４ｂ、２５ｂ，２６ｂを見ながら、最終的に「飯」の草書体漢字に近似した草書体文字２１ｂを描くことが出来る。
【００４５】
このようにして「飯」の草書体漢字に大略近似した近似構成片よりなる全体型を覚えておけば、本来の「飯」の草書体漢字の型を習得し易くなる。
【００４６】
［２−２．「飯」の漢文字の行草体文字］
「飯」という漢文字の行草体文字について説明する。
【００４７】
「飯」の漢文字は、図４に示すような行草体の型で書されている。この「飯」の漢文字の行草体を練習して記憶するためには、まず「飯」の漢文字の行草体２１ｃを５個の漢文字構成要素としての構成片に分解する。すなわち、第１左上側構成片と第２左上側構成片と左中央側構成片と左下側構成片と右側構成片の５個の構成片に分解する。
【００４８】
そして、第１左上側、第２左上側、左中央側、左下側、右側の各構成片に近似する型を有する数字や特殊記号や一般記号やアルファベットや片仮名や平仮名を捜す。
【００４９】
例えば、第１左上側構成片は、一般記号の「／」に近似しており、第２左上側構成片は、平仮名の「つ」に近似しており、左中央側構成片は、平仮名の「う」に近似しており、左下側構成片は、片仮名の「ム」に近似しており、右側構成片は、平仮名の「る」に近似している。
このように「飯」の行草体漢字の各構成片を「／」と「つ」と「う」と「ム」と「る」の近似型になぞらえて、これらの各構成片を近似構成片２２ｄ，２３ｄ，２４ｄ，２５ｄ，２６ｄとし、これを記憶し、或はこれら近似構成片２２ｄ，２３ｄ，２４ｄ，２５ｄ，２６ｄを見ながら、最終的に「飯」の行草体漢字に近似した行草体文字２１ｄを描くことが出来る。
【００５０】
このようにして「飯」の行草体漢字に大略近似した近似構成片よりなる全体型を覚えておけば、本来の「飯」の行草体漢字の型を習得し易くなる。
【００５１】
［３−１．「行」の漢文字の草書体文字］
行」という漢文字の草書体文字について説明する。
【００５２】
「行」の漢文字は、図５に示すような草書体の型で書されている。この「行」の漢文字の草書体を練習して記憶するためには、まず「行」の漢文字の草書体３１ａを１個の漢文字構成要素としての構成片とする。
【００５３】
そして、構成片に近似する型を有する数字や特殊記号や一般記号やアルファベットや片仮名や平仮名を捜す。
【００５４】
例えば、構成片は、平仮名の「り」に近似している。このように「行」の草書体漢字の構成片を「り」の近似型になぞらえて、この構成片を近似構成片３２ｂとし、これを記憶し、或はこの近似構成片３２ｂを見ながら、「行」の草書体漢字に近似した草書体文字３１ｂを描くことが出来る。
【００５５】
このようにして「行」の草書体漢字に大略近似した近似構成片よりなる全体型を覚えておけば、本来の「行」の草書体漢字の型を習得し易くなる。
【００５６】
［３−２．「行」の漢文字の行草体文字］
「行」という漢文字の行草体文字について説明する。
【００５７】
「行」の漢文字は、図６に示すような行草体の型で書されている。この「行」の漢文字の行草体を練習して記憶するためには、まず「行」の漢文字の行草体３１ｃを４個の漢文字構成要素としての構成片に分解する。すなわち、左上側構成片と左下側構成片と右上側構成片と右下側構成片の４個の構成片に分解する。
【００５８】
そして、左上側、左下側、右上側、右下側の各構成片に近似する型を有する数字や特殊記号や一般記号やアルファベットや片仮名や平仮名を捜す。
【００５９】
例えば、左上側構成片は、アルファベットの「Ｓ」に近似しており、左下側構成片は、数字の「１」に近似しており、右上側構成片は、数字の「２」に近似しており、右下側構成片は、一般記号の「）」に近似している。
このように「行」の行草体漢字の各構成片を「Ｓ」と「１」と「２」と「）」の近似型になぞらえて、これらの各構成片を近似構成片３２ｄ，３３ｄ，３４ｄ，３５ｄとし、これを記憶し、或はこれら近似構成片３２ｄ，３３ｄ，３４ｄ，３５ｄを見ながら、最終的に「行」の行草体漢字に近似した行草体文字３１ｄを描くことが出来る。
【００６０】
このようにして「行」の行草体漢字に大略近似した近似構成片よりなる全体型を覚えておけば、本来の「行」の行草体漢字の型を習得し易くなる。
【００６１】
［４−１．「見」の漢文字の草書体文字］
「見」という漢文字の草書体文字について説明する。
【００６２】
「見」の漢文字は、図７に示すような草書体の型で書されている。この「見」の漢文字の草書体を練習して記憶するためには、まず「見」の漢文字の草書体４１ａを４個の漢文字構成要素としての構成片に分解する。すなわち、上側構成片と中央構成片と左下側構成片と右下側構成片の４個の構成片に分解する。
【００６３】
そして、上側、中央、左下側、右下側各構成片に近似する型を有する数字や特殊記号や一般記号やアルファベットや片仮名や平仮名を捜す。
【００６４】
例えば、上側構成片は、アルファベットの「ｂ」に近似しており、中央構成片は、上側の括弧として描いた特殊記号ｃ２に近似しており、左下側構成片は、一般記号の「／」に近似しており、右下側構成片は、特殊記号ｃ３に近似している。
このように「見」の草書体漢字の各構成片を「ｂ」と特殊記号ｃ２と「／」と特殊記号ｃ３の近似型になぞらえて、これらの各構成片を近似構成片４２ｂ，４３ｂ，４４ｂ，４５ｂとし、これを記憶し、或はこれら近似構成片４２ｂ，４３ｂ，４４ｂ，４５ｂを見ながら、最終的に「見」の草書体漢字に近似した草書体文字４１ｂを描くことが出来る。
【００６５】
このようにして「見」の草書体漢字に大略近似した近似構成片よりなる全体型を覚えておけば、本来の「見」の草書体漢字の型を習得し易くなる。
【００６６】
［４−２．「見」の漢文字の行草体文字］
「見」という漢文字の行草体について説明する。
【００６７】
「見」の漢文字は、図８に示すような行草体の型で書されている。この「見」の漢文字の行草体を練習して記憶するためには、まず「見」の漢文字の行草体４１ｃを４個の漢文字構成要素としての構成片に分解する。すなわち、上側構成片と第１中央側構成片と第２中央側構成片と右下側構成片の４個の構成片に分解する。
【００６８】
そして、上側、第１中央側、第２中央側、右下側の各構成片に近似する型を有する数字や特殊記号や一般記号やアルファベットや片仮名や平仮名を捜す。
【００６９】
例えば、上側構成片は、アルファベットの「ｂ」に近似しており、第１中央側構成片は、上側の括弧として描いた特殊記号ｃ２に近似しており、第２中央側構成片は、数字の「３」に近似しており、右下側構成片は、レ点として描いた特殊記号ｃ３に近似している。
このように「見」の行草体漢字の各構成片を「ｂ」と特殊記号ｃ２と「３」と特殊記号ｃ３の近似型になぞらえて、これらの各構成片を近似構成片４２ｄ，４３ｄ，４４ｄ，４５ｄとし、これを記憶し、或はこれら近似構成片４２ｄ，４３ｄ，４４ｄ，４５ｄを見ながら、最終的に「見」の行草体漢字に近似した行草体文字４１ｄを描くことが出来る。
【００７０】
このようにして「見」の行草体漢字に大略近似した近似構成片よりなる全体型を覚えておけば、本来の「見」の行草体漢字の型を習得し易くなる。
【００７１】
［５−１．「組」の漢文字の草書体文字］
「組」という漢文字の草書体について説明する。
【００７２】
「組」の漢文字は、図９に示すような草書体の型で書されている。この「組」の漢文字の草書体を練習して記憶するためには、まず「組」の漢文字の草書体５１ａを５個の漢文字構成要素としての構成片に分解する。すなわち、左上側構成片と左中央側構成片と左下側構成片と右側構成片と右下側構成片の５個の構成片に分解する。
【００７３】
そして、左上側、左中央側、左下側、右側、右下側の各構成片に近似する型を有する数字や特殊記号や一般記号やアルファベットや片仮名や平仮名を捜す。
【００７４】
例えば、左上側構成片は、平仮名の「つ」に近似しており、左中央側構成片は、一般記号の「）」に近似しており、左下側構成片は、一般記号の「（」に近似しており、右側構成片は、アルファベットの「ｂ」に近似しており、右下側構成片は、数字の「２」に近似している。このように「組」の草書体漢字の構成片を「つ」と「）」と「（」と「ｂ」と「２」の近似型になぞらえて、これらの各構成片の近似構成片５２ｂ，５３ｂ，５４ｂ，５５ｂ，５６ｂを記憶し、或は参考の近似構成片５２ｂ，５３ｂ，５４ｂ，５５ｂ，５６ｂを見ながら、最終的に各近似構成片５２ｂ，５３ｂ，５４ｂ，５５ｂ，５６ｂを組み合わせていくことにより、「組」の草書体漢字に近似した草書体文字５１ｂを描くことが出来る。
【００７５】
このようにして「組」の草書体漢字に大略近似した近似構成片よりなる全体型を覚えておけば、本来の「組」の草書体漢字の型を習得し易くなる。
【００７６】
［５−２．「組」の漢文字の行草体文字］
「組」という漢文字の行草体について説明する。
【００７７】
「組」の漢文字は、図１０に示すような行草体の型で書されている。この「組」の漢文字の行草体を練習して記憶するためには、まず「組」の漢文字の行草体５１ｃを５個の漢文字構成要素としての構成片に分解する。すなわち、左上側構成片と左中央側構成片と左下側構成片と右側構成片と右下側構成片の５個の構成片に分解する。
【００７８】
そして、左上側、左中央側、左下側、右側、右下側の各構成片に近似する型を有する数字や特殊記号や一般記号やアルファベットや片仮名や平仮名を捜す。
【００７９】
例えば、左上側構成片は、一般記号の「／」に近似しており、左中央側構成片は、数字の「３」に近似しており、左下側構成片は、レ点として描いた特殊記号ｃ３に近似しており、右側構成片は、アルファベットの「ｂ」に近似しており、右下側構成片は、数字の「２」に近似している。このように「組」の行草体漢字の構成片を「／」と「３」と特殊記号ｃ３と「ｂ」と「２」の近似型になぞらえて、これらの各構成片の近似構成片５２ｄ，５３ｄ，５４ｄ，５５ｄ，５６ｄを記憶し、或は参考の近似構成片５２ｄ，５３ｄ，５４ｄ，５５ｄ，５６ｄを見ながら、最終的に各近似構成片５２ｄ，５３ｄ，５４ｄ，５５ｄ，５６ｄを組み合わせていくことにより、「組」の行草体漢字に近似した行草体文字５１ｄを描くことが出来る。
【００８０】
このようにして「組」の行草体漢字に大略近似した近似構成片よりなる全体型を覚えておけば、本来の「組」の行草体漢字の型を習得し易くなる。
【００８１】
［６−１．「道」の漢文字の草書体文字］
「道」という漢文字の草書体について説明する。
【００８２】
「道」の漢文字は、図１１に示すような草書体の型で書されている。この「道」の漢文字の草書体を練習して記憶するためには、まず「道」の漢文字の草書体６１ａを３個の漢文字構成要素としての構成片に分解する。すなわち、上側構成片と中央構成片と下側構成片の３個の構成片に分解する。
【００８３】
そして、上側、中央、下側各構成片に近似する型を有する数字や特殊記号や一般記号やアルファベットや片仮名や平仮名を捜す。
【００８４】
例えば、上側構成片は、片仮名の「ソ」に近似しており、中央構成片は、平仮名の「ろ」に近似しており、下側構成片は、反比例の曲線に描いた特殊記号ｃ１４に近似している。
このように「道」の草書体漢字の各構成片を「ソ」と「ろ」と特殊記号ｃ１４の近似型になぞらえて、これらの各構成片を近似構成片６２ｂ，６３ｂ，６４ｂとし、これを記憶し、或はこれら近似構成片６２ｂ，６３ｂ，６４ｂを見ながら、最終的に「道」の草書体漢字に近似した草書体文字６１ｂを描くことが出来る。
【００８５】
このようにして「道」の草書体漢字に大略近似した近似構成片よりなる全体型を覚えておけば、本来の「道」の草書体漢字の型を習得し易くなる。
【００８６】
［６−２．「道」の漢文字の行草体文字］
「道」という漢文字の行草体文字について説明する。
【００８７】
「道」の漢文字は、図１２に示すような行草体の型で書されている。この「道」の漢文字の行草体を練習して記憶するためには、まず「道」の漢文字の行草体６１ｃを６個の漢文字構成要素としての構成片に分解する。すなわち、第１上側構成片と第２上側構成片と中央構成片と中央下側構成片と左側構成片と下側構成片の６個の構成片に分解する。
【００８８】
そして、第１上側、第２上側、中央、中央下側、左側、下側の各構成片に近似する型を有する数字や特殊記号や一般記号やアルファベットや片仮名や平仮名を捜す。
【００８９】
例えば、第１上側構成片は、片仮名の「ソ」に近似しており、第２上側構成片は、一般記号の「−」に近似しており、中央構成片は、アルファベットの「ｂ」に近似しており、中央下側構成片は、上側の括弧に描いた特殊記号ｃ２に近似しており、左側構成片は、短い縦棒に描いた特殊記号ｃ１１に近似しており、下側構成片は、反比例の曲線に描いた特殊記号ｃ１４に近似している。
このように「道」の行草体漢字の各構成片を「ソ」と「−」と「ｂ」と特殊記号ｃ２と特殊記号ｃ１１と特殊記号ｃ１４の近似型になぞらえて、これらの各構成片を近似構成片６２ｄ，６３ｄ，６４ｄ，６５ｄ，６６ｄ，６７ｄとし、これを記憶し、或はこれら近似構成片６２ｄ，６３ｄ，６４ｄ，６５ｄ，６６ｄ，６７ｄを見ながら、最終的に「道」の行草体漢字に近似した行草体文字６１ｄを描くことが出来る。
【００９０】
このようにして「道」の行草体漢字に大略近似した近似構成片よりなる全体型を覚えておけば、本来の「道」の行草体漢字の型を習得し易くなる。
【００９１】
［７−１．「局」の漢文字の草書体文字］
「局」という漢文字の草書体文字について説明する。
【００９２】
「局」の漢文字は、図１３に示すような草書体の型で書されている。この「局」の漢文字の草書体を練習して記憶するためには、まず「局」の漢文字の草書体７１ａを２個の漢文字構成要素としての構成片に分解する。すなわち、中央構成片と下側構成片の２個の構成片に分解する。
【００９３】
そして、中央、下側各構成片に近似する型を有する数字や特殊記号や一般記号やアルファベットや片仮名や平仮名を捜す。
【００９４】
例えば、中央構成片は、平仮名の「ろ」に近似しており、下側構成片は、片仮名の「フ」に近似している。
このように「局」の草書体漢字の各構成片を「ろ」と「フ」の近似型になぞらえて、これらの各構成片を近似構成片７２ｂ，７３ｂとし、これらを記憶し、或はこれら近似構成片７２ｂ，７３ｂを見ながら、最終的に「局」の草書体漢字に近似した草書体文字７１ｂを描くことが出来る。
【００９５】
このようにして「局」の草書体漢字に大略近似した近似構成片よりなる全体型を覚えておけば、本来の「局」の草書体漢字の型を習得し易くなる。
【００９６】
［７−２．「局」の漢文字の行草体文字］
「局」という漢文字の行草体文字について説明する。
【００９７】
「局」の漢文字は、図１４に示すような行草体の型で書されている。この「局」の漢文字の行草体を練習して記憶するためには、まず「局」の漢文字の行草体７１ｃを５個の漢文字構成要素としての構成片に分解する。すなわち、上側構成片と左側構成片と中央構成片と左下側構成片と右下側構成片の５個の構成片に分解する。
【００９８】
そして、上側、左側、中央、左下側、右下側の各構成片に近似する型を有する数字や特殊記号や一般記号やアルファベットや片仮名や平仮名を捜す。
【００９９】
例えば、上側構成片は、アルファベットの「ｚ」に近似しており、左側構成片は、片仮名の「ノ」に近似しており、中央構成片は、特殊記号ｃ５に近似しており、左下側構成片は、数字の「１」に近似しており、右下側構成片は、数字の「２」に近似している。
このように「局」の行草体漢字の各構成片を「ｚ」と「ノ」と特殊記号ｃ５と「１」と「２」の近似型になぞらえて、これらの各構成片を近似構成片７２ｄ，７３ｄ，７４ｄ，７５ｄ，７６ｄとし、これらを記憶し、或はこれら近似構成片７２ｄ，７３ｄ，７４ｄ，７５ｄ，７６ｄを見ながら、最終的に「局」の行草体漢字に近似した行草体文字７１ｄを描くことが出来る。
【０１００】
このようにして「局」の行草体漢字に大略近似した近似構成片よりなる全体型を覚えておけば、本来の「局」の行草体漢字の型を習得し易くなる。
【０１０１】
［８−１．「東」の漢文字の草書体文字］
「東」という漢文字の草書体文字について説明する。
【０１０２】
「東」の漢文字は、図１５に示すような草書体の型で書されている。この「東」の漢文字の草書体を練習して記憶するためには、まず「東」の漢文字の草書体８１ａを４個の漢文字構成要素としての構成片に分解する。すなわち、上側構成片と下側構成片と左下側構成片と右下側構成片との４個の構成片に分解する。
【０１０３】
そして、上側、下側、左下側、右下側各構成片に近似する型を有する数字や特殊記号や一般記号やアルファベットや片仮名や平仮名を捜す。
【０１０４】
例えば、上側構成片は、片仮名の「ナ」に近似しており、下側構成片は、特殊記号ｃ７に近似しており、左下側構成片は、レ点として描いた特殊記号ｃ３に近似しており、右下側構成片は、特殊記号ｃ１４に近似している。
このように「東」の草書体漢字の各構成片を「ナ」と特殊記号ｃ７と特殊記号ｃ３と特殊記号ｃ１４の近似型になぞらえて、これらの各構成片を近似構成片８２ｂ，８３ｂ，８４ｂ，８５ｂとし、これらを記憶し、或はこれら近似構成片８２ｂ，８３ｂ，８４ｂ，８５ｂを見ながら、最終的に「東」の草書体漢字に近似した草書体文字８１ｂを描くことが出来る。
【０１０５】
このようにして「東」の草書体漢字に大略近似した近似構成片よりなる全体型を覚えておけば、本来の「東」の草書体漢字の型を習得し易くなる。
【０１０６】
［８−２．「東」の漢文字の行草体文字］
「東」という漢文字の行草体文字について説明する。
【０１０７】
「東」の漢文字は、図１６に示すような行草体の型で書されている。この「東」の漢文字の行草体を練習して記憶するためには、まず「東」の漢文字の行草体８１ｃを６個の漢文字構成要素としての構成片に分解する。すなわち、上側構成片と第１中央側構成片と第２中央側構成片と第３中央側構成片と左下側構成片と右下側構成片の６個の構成片に分解する。
【０１０８】
そして、上側、第１中央側、第２中央側、第３中央側、左下側、右下側の各構成片に近似する型を有する数字や特殊記号や一般記号やアルファベットや片仮名や平仮名を捜す。
【０１０９】
例えば、上側構成片は、一般記号の「−」に近似しており、第１中央側構成片は、アルファベットの「ｂ」に近似しており、第２中央構成片は、上側の括弧として描いた特殊記号ｃ２に近似しており、第３中央構成片は、縦線として描いた特殊記号ｃ１１に近似しており、左下側構成片は、レ点として描いた特殊記号ｃ３に近似しており、右下側構成片は、一般記号の「）」に近似している。
このように「東」の行草体漢字の各構成片を一般記号の「−」と「ｂ」と特殊記号ｃ２と特殊記号ｃ１１と特殊記号ｃ３と「）」の近似型になぞらえて、これらの各構成片を近似構成片８２ｄ，８３ｄ，８４ｄ，８５ｄ，８６ｄ，８７ｄとし、これらを記憶し、或はこれら近似構成片８２ｄ，８３ｄ，８４ｄ，８５ｄ，８６ｄ，８７ｄを見ながら、最終的に「東」の行草体漢字に近似した行草体文字８１ｄを描くことが出来る。
【０１１０】
このようにして「東」の行草体漢字に大略近似した近似構成片よりなる全体型を覚えておけば、本来の「東」の行草体漢字の型を習得し易くなる。
【０１１１】
［９−１．「日」の漢文字の草書体文字］
「日」という漢文字の草書体文字について説明する。
【０１１２】
「日」の漢文字は、図１７に示すような草書体の型で書されている。この「日」の漢文字の草書体を練習して記憶するためには、まず「日」の漢文字の草書体９１ａを２個の漢文字構成要素としての構成片に分解する。すなわち、中央構成片と下側構成片の２個の構成片に分解する。
【０１１３】
そして、中央、下側各構成片に近似する型を有する数字や特殊記号や一般記号やアルファベットや片仮名や平仮名を捜す。
【０１１４】
例えば、中央構成片は、アルファベットの「ｎ」に近似しており、下側構成片は、特殊記号ｃ１に近似している。
このように「日」の草書体漢字の各構成片を「ｎ」と特殊記号ｃ１の近似型になぞらえて、これらの各構成片を近似構成片９２ｂ，９３ｂとし、これらを記憶し、或はこれら近似構成片９２ｂ，９３ｂを見ながら、最終的に「日」の草書体漢字に近似した草書体文字９１ｂを描くことが出来る。
【０１１５】
このようにして「日」の草書体漢字に大略近似した近似構成片よりなる全体型を覚えておけば、本来の「日」の草書体漢字の型を習得し易くなる。
【０１１６】
［９−２．「日」の漢文字の行草体文字］
「日」という漢文字の行草体文字について説明する。
【０１１７】
「日」の漢文字は、図１８に示すような行草体の型で書されている。この「日」の漢文字の行草体を練習して記憶するためには、まず「日」の漢文字の行草体９１ｃを２個の漢文字構成要素としての構成片に分解する。すなわち、中央構成片と下側構成片の２個の構成片に分解する。
【０１１８】
そして、中央、下側の各構成片に近似する型を有する数字や特殊記号や一般記号やアルファベットや片仮名や平仮名を捜す。
【０１１９】
例えば、中央構成片は、アルファベットの「ｂ」に近似しており、下側構成片は、特殊記号ｃ２に近似している。
このように「日」の行草体漢字の各構成片を「ｂ」と特殊記号ｃ２の近似型になぞらえて、これらの各構成片を近似構成片９２ｄ，９３ｄとし、これらを記憶し、或はこれら近似構成片９２ｄ，９３ｄを見ながら、最終的に「日」の行草体漢字に近似した行草体文字９１ｄを描くことが出来る。
【０１２０】
このようにして「日」の行草体漢字に大略近似した近似構成片よりなる全体型を覚えておけば、本来の「日」の行草体漢字の型を習得し易くなる。
【０１２１】
［１０−１．「白」の漢文字の草書体文字］
「白」という漢文字の草書体について説明する。
【０１２２】
「白」の漢文字は、図１９に示すような草書体の型で書されている。この「白」の漢文字の草書体を練習して記憶するためには、まず「白」の漢文字の草書体１０１ａを４個の漢文字構成要素としての構成片に分解する。すなわち、中央構成片と下側構成片と左側構成片と右側構成片の４個の構成片に分解する。
【０１２３】
そして、中央、下側、左側、右側各構成片に近似する型を有する数字や特殊記号や一般記号やアルファベットや片仮名や平仮名を捜す。
【０１２４】
例えば、中央構成片は、アルファベットの「Ｓ」に近似しており、下側構成片は、特殊記号ｃ８に近似しており、左側構成片は、特殊記号ｃ３に近似しており、右側構成片は、一般記号の「＼」に近似している。
このように「白」の草書体漢字の各構成片を「Ｓ」と特殊記号ｃ８と特殊記号ｃ３と「＼」の近似型になぞらえて、これらの各構成片を近似構成片１０２ｂ，１０３ｂ，１０４ｂ，１０５ｂとし、これらを記憶し、或はこれら近似構成片１０２ｂ，１０３ｂ，１０４ｂ，１０５ｂを見ながら、最終的に「白」の草書体漢字に近似した草書体文字１０１ｂを描くことが出来る。
【０１２５】
このようにして「白」の草書体漢字に大略近似した近似構成片よりなる全体型を覚えておけば、本来の「白」の草書体漢字の型を習得し易くなる。
【０１２６】
［１０−２．「白」の漢文字の行草体文字］
「白」という漢文字の行草体文字について説明する。
【０１２７】
「白」の漢文字は、図２０に示すような行草体の型で書されている。この「白」の漢文字の行草体を練習して記憶するためには、まず「白」の漢文字の行草体１０１ｃを２個の漢文字構成要素としての構成片に分解する。すなわち、中央構成片と下側構成片の２個の構成片に分解する。
【０１２８】
そして、中央、下側の各構成片に近似する型を有する数字や特殊記号や一般記号やアルファベットや片仮名や平仮名を捜す。
【０１２９】
例えば、中央構成片は、アルファベットの「ｂ」に近似しており、下側構成片は、特殊記号ｃ２に近似している。
このように「白」の行草体漢字の各構成片を「ｂ」と特殊記号ｃ２の近似型になぞらえて、これらの各構成片を近似構成片１０２ｄ，１０３ｄとし、これらを記憶し、或はこれら近似構成片１０２ｄ，１０３ｄを見ながら、最終的に「白」の行草体漢字に近似した行草体文字１０１ｄを描くことが出来る。
【０１３０】
このようにして「白」の行草体漢字に大略近似した近似構成片よりなる全体型を覚えておけば、本来の「白」の行草体漢字の型を習得し易くなる。
【０１３１】
［１１−１．「木」の漢文字の草書体文字］
「木」という漢文字の草書体文字について説明する。
【０１３２】
「木」の漢文字は、図２１に示すような草書体の型で書されている。この「木」の漢文字の草書体を練習して記憶するためには、まず「木」の漢文字の草書体１１１ａを３個の漢文字構成要素としての構成片に分解する。すなわち、中央構成片と中央下側構成片と右側構成片の３個の構成片に分解する。
【０１３３】
そして、中央、中央下側、右側各構成片に近似する型を有する数字や特殊記号や一般記号やアルファベットや片仮名や平仮名を捜す。
【０１３４】
例えば、中央構成片は、一般記号の「）」に近似しており、中央下側構成片は、片仮名の「フ」に近似しており、右側構成片は、平仮名の「つ」に近似している。
このように「木」の草書体漢字の各構成片を「）」と「フ」と「つ」の近似型になぞらえて、これらの各構成片を近似構成片１１２ｂ，１１３ｂ，１１４ｂとし、これらを記憶し、或はこれら近似構成片１１２ｂ，１１３ｂ，１１４ｂを見ながら、最終的に「木」の草書体漢字に近似した草書体文字１１１ｂを描くことが出来る。
【０１３５】
このようにして「木」の草書体漢字に大略近似した近似構成片よりなる全体型を覚えておけば、本来の「木」の草書体漢字の型を習得し易くなる。
【０１３６】
［１１−２．「木」の漢文字の行草体文字］
「木」という漢文字の行草体文字について説明する。
【０１３７】
「木」の漢文字は、図２２に示すような行草体の型で書されている。この「木」の漢文字の行草体を練習して記憶するためには、まず「木」の漢文字の行草体１１１ｃを３個の漢文字構成要素としての構成片に分解する。すなわち、中央構成片と左側構成片と中央下側構成片の３個の構成片に分解する。
【０１３８】
そして、中央、左側、中央下側の各構成片に近似する型を有する数字や特殊記号や一般記号やアルファベットや片仮名や平仮名を捜す。
【０１３９】
例えば、中央構成片は、十字形状に描いた特殊記号ｃ６に近似しており、左側構成片は、一般記号の「／」に近似しており、中央下側構成片は、平仮名の「つ」に近似している。
このように「木」の行草体漢字の各構成片を特殊記号ｃ６と「／」と「つ」の近似型になぞらえて、これらの各構成片を近似構成片１１２ｄ，１１３ｄ，１１４ｄとし、これらを記憶し、或はこれら近似構成片１１２ｄ，１１３ｄ，１１４ｄを見ながら、最終的に「木」の行草体漢字に近似した行草体文字１１１ｄを描くことが出来る。
【０１４０】
このようにして「木」の行草体漢字に大略近似した近似構成片よりなる全体型を覚えておけば、本来の「木」の行草体漢字の型を習得し易くなる。
【０１４１】
［１２−１．「口」の漢文字の草書体文字］
「口」という漢文字の草書体文字について説明する。
【０１４２】
「口」の漢文字は、図２３に示すような草書体の型で書されている。この「口」の漢文字の草書体を練習して記憶するためには、まず「口」の漢文字の草書体１２１ａを１個の漢文字構成要素としての１個の構成片に分解する。
【０１４３】
そして、構成片に近似する型を有する数字や特殊記号や一般記号やアルファベットや片仮名や平仮名を捜す。
【０１４４】
例えば、構成片は、平仮名の「い」に近似している。このように「口」の草書体漢字の構成片を「い」の近似型になぞらえて、この構成片を近似構成片１２２ｂとし、これを記憶し、或はこの近似構成片１２２ｂを見ながら、「口」の草書体漢字に近似した草書体文字１２１ｂを描くことが出来る。
【０１４５】
このようにして「口」の草書体漢字に大略近似した近似構成片よりなる全体型を覚えておけば、本来の「口」の草書体漢字の型を習得し易くなる。
【０１４６】
［１２−２．「口」の漢文字の行草体文字］
「口」という漢文字の行草体文字について説明する。
【０１４７】
「口」の漢文字は、図２４に示すような行草体の型で書されている。この「口」の漢文字の行草体を練習して記憶するためには、まず「口」の漢文字の行草体１２１ｃを２個の漢文字構成要素としての構成片に分解する。すなわち、左側構成片と中央側構成片の２個の構成片に分解する。
【０１４８】
そして、左側、中央側の各構成片に近似する型を有する数字や特殊記号や一般記号やアルファベットや片仮名や平仮名を捜す。
【０１４９】
例えば、左側構成片は、数字の「１」に近似しており、中央側構成片は、数字の「２」に近似している。
このように「口」の行草体漢字の各構成片を「１」と「２」の近似型になぞらえて、これらの各構成片を近似構成片１２２ｄ，１２３ｄとし、これらを記憶し、或はこれら近似構成片１２２ｄ，１２３ｄを見ながら、最終的に「口」の行草体漢字に近似した行草体文字１２１ｄを描くことが出来る。
【０１５０】
このようにして「口」の行草体漢字に大略近似した近似構成片よりなる全体型を覚えておけば、本来の「口」の行草体漢字の型を習得し易くなる。
【０１５１】
［１３−１．「先」の漢文字の草書体文字］
「先」という漢文字の草書体文字について説明する。
【０１５２】
「先」の漢文字は、図２５に示すような草書体の型で書されている。この「先」の漢文字の草書体を練習して記憶するためには、まず「先」の漢文字の草書体１３１ａを３個の漢文字構成要素としての構成片に分解する。すなわち、上側構成片と中央側構成片と下側構成片の３個の構成片に分解する。
【０１５３】
そして、上側、中央側、下側各構成片に近似する型を有する数字や特殊記号や一般記号やアルファベットや片仮名や平仮名を捜す。
【０１５４】
例えば、上側構成片は、一般記号の「−」に近似しており、中央側構成片は、アルファベットの「Ｓ」に近似しており、下側構成片は、アルファベットの「Ｖ」に近似している。
このように「先」の草書体漢字の各構成片を「−」と「Ｓ」と「Ｖ」の近似型になぞらえて、これらの各構成片を近似構成片１３２ｂ，１３３ｂ，１３４ｂとし、これらを記憶し、或はこれら近似構成片１３２ｂ，１３３ｂ，１３４ｂを見ながら、最終的に「先」の草書体漢字に近似した草書体文字１３１ｂを描くことが出来る。
【０１５５】
このようにして「先」の草書体漢字に大略近似した近似構成片よりなる全体型を覚えておけば、本来の「先」の草書体漢字の型を習得し易くなる。
【０１５６】
［１３−２．「先」の漢文字の行草体文字］
「先」という漢文字の行草体文字について説明する。
【０１５７】
「先」の漢文字は、図２６に示すような行草体の型で書されている。この「先」の漢文字の行草体を練習して記憶するためには、まず「先」の漢文字の行草体１３１ｃを３個の漢文字構成要素としての構成片に分解する。すなわち、上側構成片と中央側構成片と下側構成片の３個の構成片に分解する。
【０１５８】
そして、上側、中央側、下側の各構成片に近似する型を有する数字や特殊記号や一般記号やアルファベットや片仮名や平仮名を捜す。
【０１５９】
例えば、上側構成片は、アルファベットの「Ｌ」に近似しており、中央側構成片は、アルファベットの「Ｓ」に近似しており、下側構成片は、アルファベットの「Ｖ」に近似している。
このように「先」の行草体漢字の各構成片を「Ｌ」と「Ｓ」と「Ｖ」の近似型になぞらえて、これらの各構成片を近似構成片１３２ｄ，１３３ｄ，１３４ｄとし、これらを記憶し、或はこれら近似構成片１３２ｄ，１３３ｄ，１３４ｄを見ながら、最終的に「先」の行草体漢字に近似した行草体文字１３１ｄを描くことが出来る。
【０１６０】
このようにして「先」の行草体漢字に大略近似した近似構成片よりなる全体型を覚えておけば、本来の「先」の行草体漢字の型を習得し易くなる。
【０１６１】
［１４−１．「文」の漢文字の草書体文字］
「文」という漢文字の草書体文字について説明する。
【０１６２】
「文」の漢文字は、図２７に示すような草書体の型で書されている。この「文」の漢文字の草書体を練習して記憶するためには、まず「文」の漢文字の草書体１４１ａを２個の漢文字構成要素としての構成片に分解する。すなわち、中央側構成片と下側構成片の２個の構成片に分解する。
【０１６３】
そして、中央側、下側各構成片に近似する型を有する数字や特殊記号や一般記号やアルファベットや片仮名や平仮名を捜す。
【０１６４】
例えば、中央側構成片は、アルファベットの「Ｓ」に近似しており、下側構成片は、一般記号の「（」に近似している。
このように「文」の草書体漢字の各構成片を「Ｓ」と「（」の近似型になぞらえて、これらの各構成片を近似構成片１４２ｂ，１４３ｂとし、これらを記憶し、或はこれら近似構成片１４２ｂ，１４３ｂを見ながら、最終的に「文」の草書体漢字に近似した草書体文字１４１ｂを描くことが出来る。
【０１６５】
このようにして「文」の草書体漢字に大略近似した近似構成片よりなる全体型を覚えておけば、本来の「文」の草書体漢字の型を習得し易くなる。
【０１６６】
［１４−２．「文」の漢文字の行草体文字］
「文」という漢文字の行草体文字について説明する。
【０１６７】
「文」の漢文字は、図２８に示すような行草体の型で書されている。この「文」の漢文字の行草体を練習して記憶するためには、まず「文」の漢文字の行草体１４１ｃを３個の漢文字構成要素としての構成片に分解する。すなわち、上側構成片と第１中央側構成片と第２中央側構成片の３個の構成片に分解する。
【０１６８】
そして、上側、第１中央側、第２中央側の各構成片に近似する型を有する数字や特殊記号や一般記号やアルファベットや片仮名や平仮名を捜す。
【０１６９】
例えば、上側構成片は、アルファベットの「Ｌ」に近似しており、第１中央側構成片は、一般記号の「／」に近似しており、第２中央側構成片は、一般記号の「＼」に近似している。
このように「文」の行草体漢字の各構成片を「Ｌ」と「／」と「＼」の近似型になぞらえて、これらの各構成片を近似構成片１４２ｄ，１４３ｄ，１４４ｄとし、これらを記憶し、或はこれら近似構成片１４２ｄ，１４３ｄ，１４４ｄを見ながら、最終的に「文」の行草体漢字に近似した行草体文字１４１ｄを描くことが出来る。
【０１７０】
このようにして「文」の行草体漢字に大略近似した近似構成片よりなる全体型を覚えておけば、本来の「文」の行草体漢字の型を習得し易くなる。
【０１７１】
［１５−１．「山」の漢文字の草書体文字］
「山」という漢文字の草書体文字について説明する。
【０１７２】
「山」の漢文字は、図２９に示すような草書体の型で書されている。この「山」の漢文字の草書体を練習して記憶するためには、まず「山」の漢文字の草書体１５１ａを２個の漢文字構成要素としての構成片に分解する。すなわち、左側構成片と中央側構成片の２個の構成片に分解する。
【０１７３】
そして、左側、中央側各構成片に近似する型を有する数字や特殊記号や一般記号やアルファベットや片仮名や平仮名を捜す。
【０１７４】
例えば、左側構成片は、アルファベットの「Ｌ」に近似しており、中央下側構成片は、平仮名の「い」に近似している。
このように「山」の草書体漢字の各構成片を「Ｌ」と「い」の近似型になぞらえて、これらの各構成片を近似構成片１５２ｂ，１５３ｂとし、これらを記憶し、或はこれら近似構成片１５２ｂ，１５３ｂを見ながら、最終的に「山」の草書体漢字に近似した草書体文字１５１ｂを描くことが出来る。
【０１７５】
このようにして「山」の草書体漢字に大略近似した近似構成片よりなる全体型を覚えておけば、本来の「山」の草書体漢字の型を習得し易くなる。
【０１７６】
［１５−２．「山」の漢文字の行草体文字］
「山」という漢文字の行草体文字について説明する。
【０１７７】
「山」の漢文字は、図３０に示すような行草体の型で書されている。この「山」の漢文字の行草体を練習して記憶するためには、まず「山」の漢文字の行草体１５１ｃを３個の漢文字構成要素としての構成片に分解する。すなわち、中央側構成片と左下側構成片と右側構成片の３個の構成片に分解する。
【０１７８】
そして、中央側、左下側、右側の各構成片に近似する型を有する数字や特殊記号や一般記号やアルファベットや片仮名や平仮名を捜す。
【０１７９】
例えば、中央側構成片は、一般記号の「）」に近似しており、左下側構成片は、特殊記号ｃ３に近似しており、右側構成片は、一般記号の「）」に近似している。
このように「山」の行草体漢字の各構成片を「）」特殊記号ｃ３と「）」の近似型になぞらえて、これらの各構成片を近似構成片１５２ｄ，１５３ｄ，１５４ｄとし、これらを記憶し、或はこれら近似構成片１５２ｄ，１５３ｄ，１５４ｄを見ながら、最終的に「山」の行草体漢字に近似した行草体文字１５１ｄを描くことが出来る。
【０１８０】
このようにして「山」の行草体漢字に大略近似した近似構成片よりなる全体型を覚えておけば、本来の「山」の行草体漢字の型を習得し易くなる。
【０１８１】
［１６−１．「金」の漢文字の草書体文字］
「金」という漢文字の草書体文字について説明する。
【０１８２】
「金」の漢文字は、図３１に示すような草書体の型で書されている。この「金」の漢文字の草書体を練習して記憶するためには、まず「金」の漢文字の草書体１６１ａを５個の漢文字構成要素としての構成片に分解する。すなわち、上側構成片と左側構成片と右側構成片と中央側構成片と下側構成片の５個の構成片に分解する。
【０１８３】
そして、上側、左側、右側、中央側、下側各構成片に近似する型を有する数字や特殊記号や一般記号やアルファベットや片仮名や平仮名を捜す。
【０１８４】
例えば、上側構成片は、特殊記号ｃ３に近似しており、左側構成片は、一般記号の「−」に近似しており、右側構成片は、一般記号の「／」に近似しており、中央側構成片は、特殊記号ｃ１１に近似しており、下側構成片は、数字の「２」に近似している。
このように「金」の草書体漢字の各構成片を特殊記号ｃ３と「−」と「／」と特殊記号ｃ１１と「２」の近似型になぞらえて、これらの各構成片を近似構成片１６２ｂ，１６３ｂ，１６４ｂ，１６５ｂ，１６６ｂとし、これらを記憶し、或はこれら近似構成片１６２ｂ，１６３ｂ，１６４ｂ，１６５ｂ，１６６ｂを見ながら、最終的に「金」の草書体漢字に近似した草書体文字１６１ｂを描くことが出来る。
【０１８５】
このようにして「金」の草書体漢字に大略近似した近似構成片よりなる全体型を覚えておけば、本来の「金」の草書体漢字の型を習得し易くなる。
【０１８６】
［１６−２．「金」の漢文字の行草体文字］
「金」という漢文字の行草体文字について説明する。
【０１８７】
「金」の漢文字は、図３２に示すような行草体の型で書されている。この「金」の漢文字の行草体を練習して記憶するためには、まず「金」の漢文字の行草体１６１ｃを３個の漢文字構成要素としての構成片に分解する。すなわち、上側構成片と第１中央側構成片と第２中央側構成片の３個の構成片に分解する。
【０１８８】
そして、上側、第１中央側、第２中央側の各構成片に近似する型を有する数字や特殊記号や一般記号やアルファベットや片仮名や平仮名を捜す。
【０１８９】
例えば、上側構成片は、特殊記号ｃ３に近似しており、第１中央側構成片は、数字の「７」に近似しており、第２中央側構成片は、数字の「２」に近似している。
このように「金」の行草体漢字の各構成片を特殊記号ｃ３と「７」と「２」の近似型になぞらえて、これらの各構成片を近似構成片１６２ｄ，１６３ｄ，１６４ｄとし、これらを記憶し、或はこれら近似構成片１６２ｄ，１６３ｄ，１６４ｄを見ながら、最終的に「金」の行草体漢字に近似した行草体文字１６１ｄを描くことが出来る。
【０１９０】
このようにして「金」の行草体漢字に大略近似した近似構成片よりなる全体型を覚えておけば、本来の「金」の行草体漢字の型を習得し易くなる。
【０１９１】
［１７−１．「取」の漢文字の草書体文字］
「取」という漢文字の草書体文字について説明する。
【０１９２】
「取」の漢文字は、図３３に示すような草書体の型で書されている。この「取」の漢文字の草書体を練習して記憶するためには、まず「取」の漢文字の草書体１７１ａを３個の漢文字構成要素としての構成片に分解する。すなわち、左側構成片と中央側構成片と右側構成片の３個の構成片に分解する。
【０１９３】
そして、左側、中央側、右側各構成片に近似する型を有する数字や特殊記号や一般記号やアルファベットや片仮名や平仮名を捜す。
【０１９４】
例えば、左側構成片は、アルファベットの「ｚ」に近似しており、中央側構成片は、一般記号の「）」に近似しており、右側構成片は、一般記号の「＜」に近似している。
このように「取」の草書体漢字の各構成片を「ｚ」と「）」と「＜」の近似型になぞらえて、これらの各構成片を近似構成片１７２ｂ，１７３ｂ，１７４ｂとし、これらを記憶し、或はこれら近似構成片１７２ｂ，１７３ｂ，１７４ｂを見ながら、最終的に「取」の草書体漢字に近似した草書体文字１７１ｂを描くことが出来る。
【０１９５】
このようにして「取」の草書体漢字に大略近似した近似構成片よりなる全体型を覚えておけば、本来の「取」の草書体漢字の型を習得し易くなる。
【０１９６】
［１７−２．「取」の漢文字の行草体文字］
「取」という漢文字の行草体文字について説明する。
【０１９７】
「取」の漢文字は、図３４に示すような行草体の型で書されている。この「取」の漢文字の行草体を練習して記憶するためには、まず「取」の漢文字の行草体１７１ｃを３個の漢文字構成要素としての構成片に分解する。すなわち、左側構成片と中央側構成片と右側構成片の３個の構成片に分解する。
【０１９８】
そして、左側、中央側、右側の各構成片に近似する型を有する数字や特殊記号や一般記号やアルファベットや片仮名や平仮名を捜す。
【０１９９】
例えば、左側構成片は、アルファベットの「ｚ」に近似しており、中央側構成片は、アルファベットの「ｙ」に近似しており、右側構成片は、数字の「２」に近似している。
このように「取」の行草体漢字の各構成片を「ｚ」と「ｙ」と「２」の近似型になぞらえて、これらの各構成片を近似構成片１７２ｄ，１７３ｄ，１７４ｄとし、これらを記憶し、或はこれら近似構成片１７２ｄ，１７３ｄ，１７４ｄを見ながら、最終的に「取」の行草体漢字に近似した行草体文字１７１ｄを描くことが出来る。
【０２００】
このようにして「取」の行草体漢字に大略近似した近似構成片よりなる全体型を覚えておけば、本来の「取」の行草体漢字の型を習得し易くなる。
【０２０１】
［１８−１．「収」の漢文字の草書体文字］
「収」という漢文字の草書体文字について説明する。
【０２０２】
「収」の漢文字は、図３５に示すような草書体の型で書されている。この「収」の漢文字の草書体を練習して記憶するためには、まず「収」の漢文字の草書体１８１ａを１個の漢文字構成要素としての１個の構成片に分解する。
【０２０３】
そして、構成片に近似する型を有する数字や特殊記号や一般記号やアルファベットや片仮名や平仮名を捜す。
【０２０４】
例えば、構成片は、平仮名の「ね」に近似している。このように「収」の草書体漢字の構成片を「ね」の近似型になぞらえて、この構成片を近似構成片１８２ｂとし、これを記憶し、或はこの近似構成片１８２ｂを見ながら、最終的に「収」の草書体漢字に近似した草書体文字１８１ｂを描くことが出来る。
【０２０５】
このようにして「収」の草書体漢字に大略近似した近似構成片よりなる全体型を覚えておけば、本来の「収」の草書体漢字の型を習得し易くなる。
【０２０６】
［１８−２．「収」の漢文字の行草体文字］
「収」という漢文字の行草体文字について説明する。
【０２０７】
「収」の漢文字は、図３６に示すような行草体の型で書されている。この「収」の漢文字の行草体を練習して記憶するためには、まず「収」の漢文字の行草体１８１ｃを２個の漢文字構成要素としての構成片に分解する。すなわち、中央側構成片と右下側構成片の２個の構成片に分解する。
【０２０８】
そして、中央側、右下側の各構成片に近似する型を有する数字や特殊記号や一般記号やアルファベットや片仮名や平仮名を捜す。
【０２０９】
例えば、中央側構成片は、平仮名の「わ」に近似しており、右下側構成片は、一般記号の「＼」に近似している。
このように「収」の行草体漢字の各構成片を「わ」と「＼」の近似型になぞらえて、これらの各構成片を近似構成片１８２ｄ，１８３ｄとし、これらを記憶し、或はこれら近似構成片１８２ｄ，１８３ｄを見ながら、最終的に「収」の行草体漢字に近似した行草体文字１８１ｄを描くことが出来る。
【０２１０】
このようにして「収」の行草体漢字に大略近似した近似構成片よりなる全体型を覚えておけば、本来の「収」の行草体漢字の型を習得し易くなる。
【０２１１】
［１９−１．「耳」の漢文字の草書体文字］
「耳」という漢文字の草書体文字について説明する。
【０２１２】
「耳」の漢文字は、図３７に示すような草書体の型で書されている。この「耳」の漢文字の草書体を練習して記憶するためには、まず「耳」の漢文字の草書体１９１ａを２個の漢文字構成要素としての構成片に分解する。すなわち、中央側構成片と右側構成片の２個の構成片に分解する。
【０２１３】
そして、中央側、右側各構成片に近似する型を有する数字や特殊記号や一般記号やアルファベットや片仮名や平仮名を捜す。
【０２１４】
例えば、中央側構成片は、アルファベットの「ｚ」に近似しており、右側構成片は、一般記号の「）」に近似している。
このように「耳」の草書体漢字の各構成片を「ｚ」と「）」の近似型になぞらえて、これらの各構成片を近似構成片１９２ｂ，１９３ｂとし、これらを記憶し、或はこれら近似構成片１９２ｂ，１９３ｂを見ながら、最終的に「耳」の草書体漢字に近似した草書体文字１９１ｂを描くことが出来る。
【０２１５】
このようにして「耳」の草書体漢字に大略近似した近似構成片よりなる全体型を覚えておけば、本来の「耳」の草書体漢字の型を習得し易くなる。
【０２１６】
［１９−２．「耳」の漢文字の行草体文字］
「耳」という漢文字の行草体文字について説明する。
【０２１７】
「耳」の漢文字は、図３８に示すような行草体の型で書されている。この「耳」の漢文字の行草体を練習して記憶するためには、まず「耳」の漢文字の行草体１９１ｃを２個の漢文字構成要素としての構成片に分解する。すなわち、中央側構成片と右側構成片の２個の構成片に分解する。
【０２１８】
そして、中央側、右側の各構成片に近似する型を有する数字や特殊記号や一般記号やアルファベットや片仮名や平仮名を捜す。
【０２１９】
例えば、中央側構成片は、アルファベットの「ｚ」に近似しており、右側構成片は、アルファベットの「ｙ」に近似している。
このように「耳」の行草体漢字の各構成片を「ｚ」と「ｙ」の近似型になぞらえて、これらの各構成片を近似構成片１９２ｄ，１９３ｄとし、これらを記憶し、或はこれら近似構成片１９２ｄ，１９３ｄを見ながら、最終的に「耳」の行草体漢字に近似した行草体文字１９１ｄを描くことが出来る。
【０２２０】
このようにして「耳」の行草体漢字に大略近似した近似構成片よりなる全体型を覚えておけば、本来の「耳」の行草体漢字の型を習得し易くなる。
【０２２１】
［２０−１．「名」の漢文字の草書体文字］
「名」という漢文字の草書体文字について説明する。
【０２２２】
「名」の漢文字は、図３９に示すような草書体の型で書されている。この「名」の漢文字の草書体を練習して記憶するためには、まず「名」の漢文字の草書体２０１ａを３個の漢文字構成要素としての構成片に分解する。すなわち、中央側構成片と中央下側構成片と右下側構成片の３個の構成片に分解する。
【０２２３】
そして、中央側、中央下側、右下側各構成片に近似する型を有する数字や特殊記号や一般記号やアルファベットや片仮名や平仮名を捜す。
【０２２４】
例えば、中央側構成片は、アルファベットの「ｓ」に近似しており、中央下側構成片は、アルファベットの「ｖ」に近似しており、右下側構成片は、一般記号の「）」に近似している。
このように「名」の草書体漢字の各構成片を「ｓ」と「ｖ」と「）」の近似型になぞらえて、これらの各構成片を近似構成片２０２ｂ，２０３ｂ，２０４ｂとし、これらを記憶し、或はこれら近似構成片２０２ｂ，２０３ｂ，２０４ｂを見ながら、最終的に「名」の草書体漢字に近似した草書体文字２０１ｂを描くことが出来る。
【０２２５】
このようにして「名」の草書体漢字に大略近似した近似構成片よりなる全体型を覚えておけば、本来の「名」の草書体漢字の型を習得し易くなる。
【０２２６】
［２０−２．「名」の漢文字の行草体文字］
「名」という漢文字の行草体文字について説明する。
【０２２７】
「名」の漢文字は、図４０に示すような行草体の型で書されている。この「名」の漢文字の行草体を練習して記憶するためには、まず「名」の漢文字の行草体２０１ｃを３個の漢文字構成要素としての構成片に分解する。すなわち、中央側構成片と中央下側構成片と右下側構成片の３個の構成片に分解する。
【０２２８】
そして、中央側、中央下側、右下側の各構成片に近似する型を有する数字や特殊記号や一般記号やアルファベットや片仮名や平仮名を捜す。
【０２２９】
例えば、中央側構成片は、アルファベットの「ｓ」に近似しており、中央下側構成片は、特殊記号ｃ１１に近似しており、右下側構成片は、数字の「２」に近似している。
このように「名」の行草体漢字の各構成片を「ｓ」と特殊記号ｃ１１と「２」の近似型になぞらえて、これらの各構成片を近似構成片２０２ｄ，２０３ｄ，２０４ｄとし、これらを記憶し、或はこれら近似構成片２０２ｄ，２０３ｄ，２０４ｄを見ながら、最終的に「名」の行草体漢字に近似した行草体文字２０１ｄを描くことが出来る。
【０２３０】
このようにして「名」の行草体漢字に大略近似した近似構成片よりなる全体型を覚えておけば、本来の「名」の行草体漢字の型を習得し易くなる。
【０２３１】
［２１−１．「町」の漢文字の草書体文字］
「町」という漢文字の草書体文字について説明する。
【０２３２】
「町」の漢文字は、図４１に示すような草書体の型で書されている。この「町」の漢文字の草書体を練習して記憶するためには、まず「町」の漢文字の草書体２１１ａを４個の漢文字構成要素としての構成片に分解する。すなわち、上側構成片と中央側構成片と中央右側構成片と右下側構成片の４個の構成片に分解する。
【０２３３】
そして、上側、中央側、中央右側、右下側各構成片に近似する型を有する数字や特殊記号や一般記号やアルファベットや片仮名や平仮名を捜す。
【０２３４】
例えば、上側構成片は、片仮名の「フ」に近似しており、中央側構成片は、数字の「２」に近似しており、中央右側構成片は、一般記号の「−」に近似しており、右下側構成片は、一般記号の「）」に近似している。
このように「町」の草書体漢字の各構成片を「フ」と「２」と「−」と「）」の近似型になぞらえて、これらの各構成片を近似構成片２１２ｂ，２１３ｂ，２１４ｂ，２１５ｂとし、これらを記憶し、或はこれら近似構成片２１２ｂ，２１３ｂ，２１４ｂ，２１５ｂを見ながら、最終的に「町」の草書体漢字に近似した草書体文字２１１ｂを描くことが出来る。
【０２３５】
このようにして「町」の草書体漢字に大略近似した近似構成片よりなる全体型を覚えておけば、本来の「町」の草書体漢字の型を習得し易くなる。
【０２３６】
［２１−２．「町」の漢文字の行草体文字］
「町」という漢文字の行草体文字について説明する。
【０２３７】
「町」の漢文字は、図４２に示すような行草体の型で書されている。この「町」の漢文字の行草体を練習して記憶するためには、まず「町」の漢文字の行草体２１１ｃを３個の漢文字構成要素としての構成片に分解する。すなわち、左側構成片と中央側構成片と中央下側構成片の３個の構成片に分解する。
【０２３８】
そして、左側、中央側、中央下側の各構成片に近似する型を有する数字や特殊記号や一般記号やアルファベットや片仮名や平仮名を捜す。
【０２３９】
例えば、左側構成片は、アルファベットの「ｂ」に近似しており、中央側構成片は、一般記号の「−」に近似しており、中央下側構成片は、一般記号の「）」に近似している。
このように「町」の行草体漢字の各構成片を「ｂ」と「−」と「）」の近似型になぞらえて、これらの各構成片を近似構成片２１２ｄ，２１３ｄ，２１４ｄとし、これらを記憶し、或はこれら近似構成片２１２ｄ，２１３ｄ，２１４ｄを見ながら、最終的に「町」の行草体漢字に近似した行草体文字２１１ｄを描くことが出来る。
【０２４０】
このようにして「町」の行草体漢字に大略近似した近似構成片よりなる全体型を覚えておけば、本来の「町」の行草体漢字の型を習得し易くなる。
【０２４１】
［２２−１．「斗」の漢文字の草書体文字］
「名」という漢文字の草書体文字について説明する。
【０２４２】
「斗」の漢文字は、図４３に示すような草書体の型で書されている。この「斗」の漢文字の草書体を練習して記憶するためには、まず「斗」の漢文字の草書体２２１ａを２個の漢文字構成要素としての構成片に分解する。すなわち、左側構成片と中央側構成片の２個の構成片に分解する。
【０２４３】
そして、左側、中央側各構成片に近似する型を有する数字や特殊記号や一般記号やアルファベットや片仮名や平仮名を捜す。
【０２４４】
例えば、左側構成片は、特殊記号ｃ３に近似しており、中央側構成片は、縦の棒に描いた特殊記号ｃ１１に近似している。
このように「斗」の草書体漢字の各構成片を特殊記号ｃ３と特殊記号ｃ１１の近似型になぞらえて、これらの各構成片を近似構成片２２２ｂ，２２３ｂとし、これらを記憶し、或はこれら近似構成片２２２ｂ，２２３ｂを見ながら、最終的に「斗」の草書体漢字に近似した草書体文字２２１ｂを描くことが出来る。
【０２４５】
このようにして「斗」の草書体漢字に大略近似した近似構成片よりなる全体型を覚えておけば、本来の「斗」の草書体漢字の型を習得し易くなる。
【０２４６】
［２２−２．「斗」の漢文字の行草体文字］
「斗」という漢文字の行草体文字について説明する。
【０２４７】
「斗」の漢文字は、図４４に示すような行草体の型で書されている。この「斗」の漢文字の行草体を練習して記憶するためには、まず「斗」の漢文字の行草体２２１ｃを４個の漢文字構成要素としての構成片に分解する。すなわち、左上側構成片と左中側構成片と中央下側構成片と中央側構成片の４個の構成片に分解する。
【０２４８】
そして、左上側、左中側、中央下側、中央側の各構成片に近似する型を有する数字や特殊記号や一般記号やアルファベットや片仮名や平仮名を捜す。
【０２４９】
例えば、左上側構成片は、一般記号の「）」に近似しており、左中側構成片は、一般記号の「）」に近似しており、中央下側構成片は、一般記号の「−」に近似しており、中央側構成片は、特殊記号ｃ１１に近似している。
このように「斗」の行草体漢字の各構成片を「）」と「）」と「−」と特殊記号ｃ１１の近似型になぞらえて、これらの各構成片を近似構成片２２２ｄ，２２３ｄ，２２４ｄ，２２５ｄとし、これらを記憶し、或はこれら近似構成片２２２ｄ，２２３ｄ，２２４ｄ，２２５ｄを見ながら、最終的に「斗」の行草体漢字に近似した行草体文字２２１ｄを描くことが出来る。
【０２５０】
このようにして「斗」の行草体漢字に大略近似した近似構成片よりなる全体型を覚えておけば、本来の「斗」の行草体漢字の型を習得し易くなる。
【０２５１】
［２３−１．「秒」の漢文字の草書体文字］
「秒」という漢文字の草書体文字について説明する。
【０２５２】
「秒」の漢文字は、図４５に示すような草書体の型で書されている。この「秒」の漢文字の草書体を練習して記憶するためには、まず「秒」の漢文字の草書体２３１ａを５個の漢文字構成要素としての構成片に分解する。すなわち、第１左側構成片と第２左側構成片と第３左側構成片と右上側構成片と右下側構成片の５個の構成片に分解する。
【０２５３】
そして、第１左側、第２左側、第３左側、右上側、右下側各構成片に近似する型を有する数字や特殊記号や一般記号やアルファベットや片仮名や平仮名を捜す。
【０２５４】
例えば、第１左側構成片は、一般記号の「／」に近似しており、第２左側構成片は、一般記号の「）」に近似しており、第３左側構成片は、数字の「２」に近似しており、右上側構成片は、縦棒に描いた特殊記号ｃ１１に近似しており、右下側構成片は、平仮名の「の」に近似している。
このように「秒」の草書体漢字の各構成片を「／」と「）」と「２」と特殊記号ｃ１１と「の」の近似型になぞらえて、これらの各構成片を近似構成片２３２ｂ，２３３ｂ，２３４ｂ，２３５ｂ，２３６ｂとし、これらを記憶し、或はこれら近似構成片２３２ｂ，２３３ｂ，２３４ｂ，２３５ｂ，２３６ｂを見ながら、最終的に「秒」の草書体漢字に近似した草書体文字２３１ｂを描くことが出来る。
【０２５５】
このようにして「秒」の草書体漢字に大略近似した近似構成片よりなる全体型を覚えておけば、本来の「秒」の草書体漢字の型を習得し易くなる。
【０２５６】
［２３−２．「秒」の漢文字の行草体文字］
「秒」という漢文字の行草体文字について説明する。
【０２５７】
「秒」の漢文字は、図４６に示すような行草体の型で書されている。この「秒」の漢文字の行草体を練習して記憶するためには、まず「秒」の漢文字の行草体２３１ｃを５個の漢文字構成要素としての構成片に分解する。すなわち、左上側構成片と第１左中央側構成片と第２左中央側構成片と第１右中央側構成片と第２右中央側構成片の５個の構成片に分解する。
【０２５８】
そして、左上側、第１左中央側、第２左中央側、第１右中央側、第２右中央側の各構成片に近似する型を有する数字や特殊記号や一般記号やアルファベットや片仮名や平仮名を捜す。
【０２５９】
例えば、左上側構成片は、一般記号の「／」に近似しており、第１左中央構成片は、特殊記号ｃ９に近似しており、第２左中央構成片は、アルファベットの「ｚ」に近似しており、第１右中央側構成片は、一般記号の「）」に近似しており、第２右中央側構成片は、アルファベットの「ｓ」に近似している。
このように「秒」の行草体漢字の各構成片を「／」と特殊記号ｃ９と「ｚ」と「）」と「ｓ」の近似型になぞらえて、これらの各構成片を近似構成片２３２ｄ，２３３ｄ，２３４ｄ，２３５ｄ，２３６ｄとし、これらを記憶し、或はこれら近似構成片２３２ｄ，２３３ｄ，２３４ｄ，２３５ｄ，２３６ｄを見ながら、最終的に「秒」の行草体漢字に近似した行草体文字２３１ｄを描くことが出来る。
【０２６０】
このようにして「秒」の行草体漢字に大略近似した近似構成片よりなる全体型を覚えておけば、本来の「秒」の行草体漢字の型を習得し易くなる。
【０２６１】
［２４−１．「石」の漢文字の草書体文字］
「石」という漢文字の草書体文字について説明する。
【０２６２】
「石」の漢文字は、図４７に示すような草書体の型で書されている。この「石」の漢文字の草書体を練習して記憶するためには、まず「石」の漢文字の草書体２４１ａを２個の漢文字構成要素としての構成片に分解する。すなわち、中央側構成片と右下側構成片の２個の構成片に分解する。
【０２６３】
そして、中央側、右下側各構成片に近似する型を有する数字や特殊記号や一般記号やアルファベットや片仮名や平仮名を捜す。
【０２６４】
例えば、中央側構成片は、数字の「７」に近似しており、右下側構成片は、平仮名の「い」に近似している。
このように「石」の草書体漢字の各構成片を「７」と「い」の近似型になぞらえて、これらの各構成片を近似構成片２４２ｂ，２４３ｂとし、これらを記憶し、或はこれら近似構成片２４２ｂ，２４３ｂを見ながら、最終的に「石」の草書体漢字に近似した草書体文字２４１ｂを描くことが出来る。
【０２６５】
このようにして「石」の草書体漢字に大略近似した近似構成片よりなる全体型を覚えておけば、本来の「石」の草書体漢字の型を習得し易くなる。
【０２６６】
［２４−２．「石」の漢文字の行草体文字］
「石」という漢文字の行草体文字について説明する。
【０２６７】
「石」の漢文字は、図４８に示すような行草体の型で書されている。この「石」の漢文字の行草体を練習して記憶するためには、まず「石」の漢文字の行草体２４１ｃを３個の漢文字構成要素としての構成片に分解する。すなわち、中央側構成片と中央下側構成片と右下側構成片の３個の構成片に分解する。
【０２６８】
そして、中央側、中央下側、右下側の各構成片に近似する型を有する数字や特殊記号や一般記号やアルファベットや片仮名や平仮名を捜す。
【０２６９】
例えば、中央側構成片は、数字の「７」に近似しており、中央下側構成片は、数字の「１」に近似しており、右下側構成片は、数字の「２」に近似している。
このように「石」の行草体漢字の各構成片を「７」と「１」と「２」の近似型になぞらえて、これらの各構成片を近似構成片２４２ｄ，２４３ｄ，２４４ｃとし、これらを記憶し、或はこれら近似構成片２４２ｃ，２４３ｃ，２４４ｃを見ながら、最終的に「石」の行草体漢字に近似した行草体文字２４１ｄを描くことが出来る。
【０２７０】
このようにして「石」の行草体漢字に大略近似した近似構成片よりなる全体型を覚えておけば、本来の「石」の行草体漢字の型を習得し易くなる。
【０２７１】
［２５−１．「原」の漢文字の草書体文字］
「原」という漢文字の草書体文字について説明する。
【０２７２】
「原」の漢文字は、図４９に示すような草書体の型で書されている。この「原」の漢文字の草書体を練習して記憶するためには、まず「原」の漢文字の草書体２５１ａを４個の漢文字構成要素としての構成片に分解する。すなわち、上側構成片と中央側構成片と左下側構成片と右下側構成片の４個の構成片に分解する。
【０２７３】
そして、上側、中央側、中央下側、左下側、右下側各構成片に近似する型を有する数字や特殊記号や一般記号やアルファベットや片仮名や平仮名を捜す。
【０２７４】
例えば、上側構成片は、平仮名の「ろ」に近似しており、中央側構成片は、特殊記号ｃ９に近似しており、左下側構成片は、特殊記号ｃ３に近似しており、右下側構成片は、一般記号の「）」に近似している。
このように「原」の草書体漢字の各構成片を「ろ」と特殊記号ｃ９と特殊記号ｃ３と「）」の近似型になぞらえて、これらの各構成片を近似構成片２５２ｂ，２５３ｂ，２５４ｂ，２５５ｂとし、これらを記憶し、或はこれら近似構成片２５２ｂ，２５３ｂ，２５４ｂ，２５５ｂを見ながら、最終的に「原」の草書体漢字に近似した草書体文字２５１ｂを描くことが出来る。
【０２７５】
このようにして「原」の草書体漢字に大略近似した近似構成片よりなる全体型を覚えておけば、本来の「原」の草書体漢字の型を習得し易くなる。
【０２７６】
［２５−２．「原」の漢文字の行草体文字］
「原」という漢文字の行草体文字について説明する。
【０２７７】
「原」の漢文字は、図５０に示すような行草体の型で書されている。この「原」の漢文字の行草体を練習して記憶するためには、まず「原」の漢文字の行草体２５１ｃを６個の漢文字構成要素としての構成片に分解する。すなわち、左側構成片と第１中央側構成片と第２中央側構成片と中央下側構成片と左下側構成片と右下側構成片の６個の構成片に分解する。
【０２７８】
そして、左側、第１中央側、第２中央側、中央下側、左下側、右下側の各構成片に近似する型を有する数字や特殊記号や一般記号やアルファベットや片仮名や平仮名を捜す。
【０２７９】
例えば、左側構成片は、英数字の「７」に近似しており、第１中央構成片は、アルファベットの「ｂ」に近似しており、第２中央構成片は、特殊記号ｃ２に近似しており、中央下構成片は、特殊記号ｃ９に近似しており、左下構成片は、特殊記号ｃ３に近似しており、右下側構成片は、一般記号の「）」に近似している。
このように「原」の行草体漢字の各構成片を「７」と「ｂ」と特殊記号ｃ２と特殊記号ｃ９と特殊記号ｃ３と「）」の近似型になぞらえて、これらの各構成片を近似構成片２５２ｄ，２５３ｄ，２５４ｄ，２５５ｄ，２５６ｄ，２５７ｄとし、これらを記憶し、或はこれら近似構成片２５２ｄ，２５３ｄ，２５４ｄ，２５５ｄ，２５６ｄ，２５７ｄを見ながら、最終的に「原」の行草体漢字に近似した行草体文字２５１ｄを描くことが出来る。
【０２８０】
このようにして「原」の行草体漢字に大略近似した近似構成片よりなる全体型を覚えておけば、本来の「原」の行草体漢字の型を習得し易くなる。
【０２８１】
［２６−１．「水」の漢文字の草書体文字］
「水」という漢文字の草書体文字について説明する。
【０２８２】
「水」の漢文字は、図５１に示すような草書体の型で書されている。この「水」の漢文字の草書体を練習して記憶するためには、まず「水」の漢文字の草書体２６１ａを３個の漢文字構成要素としての構成片に分解する。すなわち、上側構成片と中央側構成片と右側構成片の３個の構成片に分解する。
【０２８３】
そして、上側、中央側、右側の各構成片に近似する型を有する数字や記号やアルファベットや片仮名や平仮名を捜す。
【０２８４】
例えば、上側構成片は一般記号の「／」に近似しており、中央側構成片は一般記号の終端側括弧の「）」に近似しており、右側構成片は平仮名の「ろ」に近似している。
このように「水」の草書体漢字の各構成片を「／」と「）」と「ろ」の近似型になぞらえて、これらの各構成片を近似構成片２６２ｂ，２６３ｂ，２６４ｂとし、これらを記憶し、或はこれら近似構成片２６２ｂ，２６３ｂ，２６４ｂを見ながら、最終的に「水」の草書体漢字に近似した草書体文字２６１ｂを描くことが出来る。
【０２８５】
このようにして「水」の草書体漢字に大略近似した近似構成片よりなる全体型を覚えておけば、本来の「水」の草書体漢字の型を習得し易くなる。
【０２８６】
［２６−２．「水」の漢文字の行草体文字］
「水」という漢文字の行草体文字について説明する。
【０２８７】
「水」の漢文字は、図５２に示すような行草体の型で書されている。この「水」の漢文字の行草体を練習して記憶するためには、まず「水」の漢文字の行草体２６１ｃを３個の漢文字構成要素としての構成片に分解する。すなわち、左側構成片と中央側構成片と右側構成片の３個の構成片に分解する。
【０２８８】
そして、左側、中央側、右側の各構成片に近似する型を有する数字や記号やアルファベットや片仮名や平仮名を捜す。
【０２８９】
例えば、中央側構成片は特殊記号ｃ９に近似しており、左側構成片は数字の「２」に近似しており、右側構成片はアルファベットの「Ｓ」に近似している。
このように「水」の行草体漢字の各構成片を特殊記号ｃ９と「２」と「Ｓ」の近似型になぞらえて、これらの各構成片を近似構成片２６２ｄ，２６３ｄ，２６４ｄとし、これらを記憶し、或は近似構成片２６２ｄ，２６３ｄ，２６４ｄを見ながら、最終的に「水」の行草体漢字に近似した行草体文字２６１ｄを描くことが出来る。
【０２９０】
このようにして「水」の行草体漢字に大略近似した近似構成片よりなる全体型を覚えておけば、本来の「水」の行草体漢字の型を習得し易くなる。
【０２９１】
［２７−１．「研」の漢文字の草書体文字］
「研」という漢文字の草書体漢字について説明する。
【０２９２】
「研」の漢文字は、図５３に示すように草書体の型で書されている。この「研」の漢文字の草書体を練習して記憶するためには、まず「研」の漢文字の草書体２７１ａを４個の漢文字構成要素としての構成片に分解する。すなわち、左側構成片と中央側構成片と右側構成片と右下側構成片の４個の構成片に分解する。
【０２９３】
そして、左側、中央側、右側、右下側の各構成片に近似する型を有する数字や特殊記号や一般記号やアルファベットや片仮名や平仮名を捜す。
【０２９４】
例えば、左側の構成片は、平仮名の「ろ」に近似しており、中央側構成片は、一般記号の「／」に近似しおり、右側構成片は特殊記号ｃ１１に近似しており、右下側構成片は数字の４を左側を頭にして寝かして描いた特殊記号ｃ１０に近似している。
このように「研」の草書体漢字の各構成片を「ろ」と「／」と特殊記号ｃ１１と特殊記号ｃ１０の近似型になぞらえて、これら各構成片を近似構成片２７２ｂ，２７３ｂ，２７４ｂ，２７５ｂとし、これらを記憶し、或はこれら近似構成片２７２ｂ，２７３ｂ，２７４ｂ，２７５ｂを見ながら、最終的に「研」の草書体漢字に近似した草書体文字２７１ｂを描くことが出来る。
【０２９５】
このようにして「研」の草書体漢字に大略近似した近似構成片よりなる全体型を覚えておけば、本来の「研」の草書体漢字の型を習得し易くなる。
【０２９６】
［２７−２．「研」の漢文字の行草体文字］
「研」という漢文字の行草体漢字について説明する。
【０２９７】
「研」の漢文字は、図５４に示すように行草体の型で書されている。この「研」の漢文字の行草体を練習して記憶するためには、まず「研」の漢文字の行草体２７１ｃを５個の漢文字構成要素としての構成片に分解する。すなわち、左側構成片と第１中央下側構成片と第２中央下側構成片と右上側構成片と右下側構成片の５個の構成片に分解する。
【０２９８】
そして、左側、第１中央下側、第２中央下側、右上側、右下側の各構成片に近似する型を有する数字や特殊記号や一般記号やアルファベットや片仮名や平仮名を捜す。
【０２９９】
例えば、左側構成片は、数字の「７」に近似しており、第１中央下側構成片は、数字の「１」に近似しており、第２中央下側構成片は、数字の「２」に近似しており、右上側構成片は、片仮名の「フ」に近似しており、右側下構成片は、片仮名の「サ」に近似している。
このように「研」の行草体漢字の各構成片を「７」と「１」と「２」と「フ」と「サ」の近似型になぞらえて、これら各構成片を近似構成片２７２ｄ，２７３ｄ，２７４ｄ，２７５ｄ，２７６ｄとし、これらを記憶し、或はこれら近似構成片２７２ｄ，２７３ｄ，２７４ｄ，２７５ｄ，２７６ｄを見ながら、最終的に「研」の行草体漢字に近似した行草体文字２７１ｄを描くことが出来る。
【０３００】
このようにして「研」の行草体漢字に大略近似した近似構成片よりなる全体型を覚えておけば、本来の「研」の行草体漢字の型を習得し易くなる。
【０３０１】
［２８−１．「刑」の漢文字の草書体文字］
「刑」という漢文字の草書体文字について説明する。
【０３０２】
「刑」の漢文字は、図５５に示すような草書体の型で書されている。この「刑」の漢文字の草書体を練習して記憶するためには、まず「刑」の漢文字の草書体２８１ａを４個の漢文字構成要素としての構成片に分解する。すなわち、左側構成片と中央側構成片と下側構成片と右上側構成片の４個の構成片に分解する。
【０３０３】
そして、左側、中央側、下側、右下側各構成片に近似する型を有する数字や特殊記号や一般記号やアルファベットや片仮名や平仮名を捜す。
【０３０４】
例えば、左側構成片は、数字の「７」に近似しており、中央側構成片は、特殊記号ｃ９に近似しており、下側構成片は、平仮名の「つ」に近似しており、右上側構成片は、特殊記号ｃ１に近似している。
このように「刑」の草書体漢字の各構成片を「７」と特殊記号ｃ９と「つ」と特殊記号ｃ１の近似型になぞらえて、これらの各構成片を近似構成片２８２ｂ，２８３ｂ，２８４ｂ，２８５ｂとし、これらを記憶し、或はこれら近似構成片２８２ｂ，２８３ｂ，２８４ｂ，２８５ｂを見ながら、最終的に「刑」の草書体漢字に近似した草書体文字２８１ｂを描くことが出来る。
【０３０５】
このようにして「刑」の草書体漢字に大略近似した近似構成片よりなる全体型を覚えておけば、本来の「刑」の草書体漢字の型を習得し易くなる。
【０３０６】
［２８−２．「刑」の漢文字の行草体文字］
「刑」という漢文字の行草体文字について説明する。
【０３０７】
「刑」の漢文字は、図５６に示すような行草体の型で書されている。この「刑」の漢文字の行草体を練習して記憶するためには、まず「刑」の漢文字の行草体２８１ｃを３個の漢文字構成要素としての構成片に分解する。すなわち、左上側構成片と左下側構成片と右側構成片の３個の構成片に分解する。
【０３０８】
そして、左上側、左下側、右側の各構成片に近似する型を有する数字や特殊記号や一般記号やアルファベットや片仮名や平仮名を捜す。
【０３０９】
例えば、左上側構成片は、片仮名の「フ」に近似しており、左下側構成片は、片仮名の「サ」に近似しており、右側構成片は、平仮名の「り」に近似している。
このように「刑」の行草体漢字の各構成片を「フ」と「サ」と「り」の近似型になぞらえて、これらの各構成片を近似構成片２８２ｄ，２８３ｄ，２８４ｄとし、これらを記憶し、或はこれら近似構成片２８２ｄ，２８３ｄ，２８４ｄを見ながら、最終的に「刑」の行草体漢字に近似した行草体文字２８１ｄを描くことが出来る。
【０３１０】
このようにして「刑」の行草体漢字に大略近似した近似構成片よりなる全体型を覚えておけば、本来の「刑」の行草体漢字の型を習得し易くなる。
【０３１１】
［２９−１．「話」の漢文字の草書体文字］
「話」という漢文字の草書体について説明する。
【０３１２】
「話」の漢文字は、図５７に示すような草書体の型で書されている。この「話」の漢文字の草書体を練習して記憶するためには、まず「話」の漢文字の草書体２９１ａを５個の漢文字構成要素としての構成片に分解する。すなわち、左上側構成片と左中央側構成片と左下側構成片と右上側構成片と右中央側構成片の５個の構成片に分解する。
【０３１３】
そして、左上側、左中央側、左下側、右上側、右中央側の各構成片に近似する型を有する数字や特殊記号や一般記号やアルファベットや片仮名や平仮名を捜す。
【０３１４】
例えば、左上側構成片は、特殊記号ｃ１に近似しており、左中央側構成片は、数字の「７」に近似しており、左下側構成片は、一般記号の「／」に近似しており、右上側構成片は、一般記号の「／」に近似しており、右中央側構成片は、平仮名の「ち」に近似している。
このように「話」の草書体漢字の各構成片を特殊記号ｃ１と「７」と「／」と「／」と「ち」の近似型になぞらえて、これらの各構成片を近似構成片２９２ｂ，２９３ｂ，２９４ｂ，２９５ｂ，２９６ｂとし、これらを記憶し、或はこれら近似構成片２９２ｂ，２９３ｂ，２９４ｂ，２９５ｂ，２９６ｂを見ながら、最終的に各近似構成片２９２ｂ，２９３ｂ，２９４ｂ，２９５ｂ，２９６ｂを組み合わせていくことにより、「話」の草書体漢字に近似した草書体文字２９１ｂを描くことが出来る。
【０３１５】
このようにして「話」の草書体漢字に大略近似した近似構成片よりなる全体型を覚えておけば、本来の「話」の草書体漢字の型を習得し易くなる。
【０３１６】
［２９−２．「話」の漢文字の行草体文字］
「話」という漢文字の行草体について説明する。
【０３１７】
「話」の漢文字は、図５８に示すような行草体の型で書されている。この「話」の漢文字の行草体を練習して記憶するためには、まず「話」の漢文字の行草体２９１ｃを７個の漢文字構成要素としての構成片に分解する。すなわち、左上側構成片と左中央側構成片と左下側構成片と右上側構成片と右中央側構成片と第１右下側構成片と第２右下構成片の７個の構成片に分解する。
【０３１８】
そして、左上側、左中央側、左下側、右上側、右中央側、第１右下側、第２右下側の各構成片に近似する型を有する数字や特殊記号や一般記号やアルファベットや片仮名や平仮名を捜す。
【０３１９】
例えば、左上側構成片は、片仮名の「ラ」に近似しており、左中央側構成片は、アルファベットの「ｚ」に近似しており、左下側構成片は、片仮名の「レ」に近似しており、右上側構成片は、一般記号の「／」に近似しており、右中央側構成片は、数字の４を反転して描いた特殊記号ｃ７に近似しており、第１右下構成片は、数字の「１」に近似しており、第２右下側構成片は、数字の「２」に近似している。
このように「話」の行草体漢字の各構成片を「ラ」と「ｚ」と「レ」と「／」と特殊記号ｃ７と「１」と「２」の近似型になぞらえて、これらの各構成片を近似構成片２９２ｄ，２９３ｄ，２９４ｄ，２９５ｄ，２９６ｄ，２９７ｄ，２９８ｄとし、これらを記憶し、或はこれら近似構成片２９２ｄ，２９３ｄ，２９４ｄ，２９５ｄ，２９６ｄ，２９７ｄ，２９８ｄを見ながら、最終的に「話」の行草体漢字に近似した行草体文字２９１ｄを描くことが出来る。
【０３２０】
このようにして「話」の行草体漢字に大略近似した近似構成片よりなる全体型を覚えておけば、本来の「話」の行草体漢字の型を習得し易くなる。
【０３２１】
［３０−１．「右」の漢文字の草書体文字］
「右」という漢文字の草書体文字について説明する。
【０３２２】
「右」の漢文字は、図５９に示すような草書体の型で書されている。この「右」の漢文字の草書体を練習して記憶するためには、まず「右」の漢文字の草書体３０１ａを２個の漢文字構成要素としての構成片に分解する。すなわち、中央側構成片と右上側構成片の２個の構成片に分解する。
【０３２３】
そして、中央側、右上側各構成片に近似する型を有する数字や特殊記号や一般記号やアルファベットや片仮名や平仮名を捜す。
【０３２４】
例えば、中央側構成片は、一般記号の「）」に近似しており、右上側構成片は、平仮名の「ろ」に近似している。
このように「右」の草書体漢字の各構成片を「）」と「ろ」の近似型になぞらえて、これらの各構成片を近似構成片３０２ｂ，３０３ｂとし、これらを記憶し、或はこれら近似構成片３０２ｂ，３０３ｂを見ながら、最終的に「右」の草書体漢字に近似した草書体文字３０１ｂを描くことが出来る。
【０３２５】
このようにして「右」の草書体漢字に大略近似した近似構成片よりなる全体型を覚えておけば、本来の「右」の草書体漢字の型を習得し易くなる。
【０３２６】
［３０−２．「右」の漢文字の行草体文字］
「右」という漢文字の行草体文字について説明する。
【０３２７】
「右」の漢文字は、図６０に示すような行草体の型で書されている。この「右」の漢文字の行草体を練習して記憶するためには、まず「右」の漢文字の行草体３０１ｃを４個の漢文字構成要素としての構成片に分解する。すなわち、中央上側構成片と上側構成片と中央下側構成片と右下側構成片の４個の構成片に分解する。
【０３２８】
そして、中央上側、上側、中央下側、右下側の各構成片に近似する型を有する数字や特殊記号や一般記号やアルファベットや片仮名や平仮名を捜す。
【０３２９】
例えば、中央上側構成片は、片仮名の「ノ」に近似しており、上側構成片は、英数字の「−」に近似しており、中央下側構成片は、数字の「１」に近似しており、右下側構成片は、数字の「２」に近似している。
このように「右」の行草体漢字の各構成片を「ノ」と「−」と「１」と「２」の近似型になぞらえて、これらの各構成片を近似構成片３０２ｄ，３０３ｄ，３０４ｄ，３０５ｄとし、これらを記憶し、或はこれら近似構成片３０２ｄ，３０３ｄ，３０４ｄ，３０５ｄを見ながら、最終的に「右」の行草体漢字に近似した行草体文字３０１ｄを描くことが出来る。
【０３３０】
このようにして「右」の行草体漢字に大略近似した近似構成片よりなる全体型を覚えておけば、本来の「右」の行草体漢字の型を習得し易くなる。
【０３３１】
［３１−１．「宇」の漢文字の草書体文字］
「宇」という漢文字の草書体文字について説明する。
【０３３２】
「宇」の漢文字は、図６１に示すような草書体の型で書されている。この「宇」の漢文字の草書体を練習して記憶するためには、まず「宇」の漢文字の草書体３１１ａを３個の漢文字構成要素としての構成片に分解する。すなわち、上側構成片と中央上側構成片と中央下側構成片の３個の構成片に分解する。
【０３３３】
そして、上側、中央上側、中央下側各構成片に近似する型を有する数字や特殊記号や一般記号やアルファベットや片仮名や平仮名を捜す。
【０３３４】
例えば、上側構成片は、平仮名の「う」に近似しており、中央上側構成片は、一般記号の「−」に近似しており、中央下側構成片は、特殊記号ｃ１０に近似している。
このように「宇」の草書体漢字の各構成片を「う」と「−」と特殊記号ｃ１０の近似型になぞらえて、これらの各構成片を近似構成片３１２ｂ，３１３ｂ，３１４ｂとし、これらを記憶し、或はこれら近似構成片３１２ｂ，３１３ｂ，３１４ｂを見ながら、最終的に「宇」の草書体漢字に近似した草書体文字３１１ｂを描くことが出来る。
【０３３５】
このようにして「宇」の草書体漢字に大略近似した近似構成片よりなる全体型を覚えておけば、本来の「宇」の草書体漢字の型を習得し易くなる。
【０３３６】
［３１−２．「宇」の漢文字の行草体文字］
「宇」という漢文字の行草体文字について説明する。
【０３３７】
「宇」の漢文字は、図６２に示すような行草体の型で書されている。この「宇」の漢文字の行草体を練習して記憶するためには、まず「宇」の漢文字の行草体３１１ｃを３個の漢文字構成要素としての構成片に分解する。すなわち、上側構成片と中央上側構成片と中央下側構成片の３個の構成片に分解する。
【０３３８】
そして、上側、中央上側、中央下側の各構成片に近似する型を有する数字や特殊記号や一般記号やアルファベットや片仮名や平仮名を捜す。
【０３３９】
例えば、上側構成片は、平仮名の「う」に近似しており、中央上側構成片は、数字の「２」に近似しており、中央下側構成片は、一般記号の「）」に近似している。
このように「宇」の行草体漢字の各構成片を「う」と「２」と「）」の近似型になぞらえて、これらの各構成片を近似構成片３１２ｄ，３１３ｄ，３１４ｄとし、これらを記憶し、或はこれら近似構成片３１２ｄ，３１３ｄ，３１４ｄを見ながら、最終的に「宇」の行草体漢字に近似した行草体文字３１１ｄを描くことが出来る。
【０３４０】
このようにして「宇」の行草体漢字に大略近似した近似構成片よりなる全体型を覚えておけば、本来の「宇」の行草体漢字の型を習得し易くなる。
【０３４１】
［３２−１．「汁」の漢文字の草書体文字］
「汁」という漢文字の草書体文字について説明する。
【０３４２】
「汁」の漢文字は、図６３に示すような草書体の型で書されている。この「汁」の漢文字の草書体を練習して記憶するためには、まず「汁」の漢文字の草書体３２１ａを２個の漢文字構成要素としての構成片に分解する。すなわち、左側構成片と右側構成片の２個の構成片に分解する。
【０３４３】
そして、左側、右側各構成片に近似する型を有する数字や特殊記号や一般記号やアルファベットや片仮名や平仮名を捜す。
【０３４４】
例えば、左側構成片は、アルファベットの「ｒ」に近似しており、右側構成片は、特殊記号ｃ７に近似している。
このように「汁」の草書体漢字の各構成片を「ｒ」と特殊記号ｃ７の近似型になぞらえて、これらの各構成片を近似構成片３２２ｂ，３２３ｂとし、これらを記憶し、或はこれら近似構成片３２２ｂ，３２３ｂを見ながら、最終的に「汁」の草書体漢字に近似した草書体文字３２１ｂを描くことが出来る。
【０３４５】
このようにして「汁」の草書体漢字に大略近似した近似構成片よりなる全体型を覚えておけば、本来の「汁」の草書体漢字の型を習得し易くなる。
【０３４６】
［３２−２．「汁」の漢文字の行草体文字］
「汁」という漢文字の行草体文字について説明する。
【０３４７】
「汁」の漢文字は、図６４に示すような行草体の型で書されている。この「汁」の漢文字の行草体を練習して記憶するためには、まず「汁」の漢文字の行草体３２１ｃを３個の漢文字構成要素としての構成片に分解する。すなわち、左上側構成片と左下側構成片と右側構成片の３個の構成片に分解する。
【０３４８】
そして、左上側、左下側、右側の各構成片に近似する型を有する数字や特殊記号や一般記号やアルファベットや片仮名や平仮名を捜す。
【０３４９】
例えば、左上側構成片は、特殊記号ｃ１に近似しており、左下側構成片は、アルファベットの「ｒ」に近似しており、右側構成片は、特殊記号ｃ７に近似している。
このように「汁」の行草体漢字の各構成片を特殊記号ｃ１と「ｒ」と特殊記号ｃ７の近似型になぞらえて、これらの各構成片を近似構成片３２２ｄ，３２３ｄ，３２４ｄとし、これらを記憶し、或はこれら近似構成片３２２ｄ，３２３ｄ，３２４ｄを見ながら、最終的に「汁」の行草体漢字に近似した行草体文字３２１ｄを描くことが出来る。
【０３５０】
このようにして「汁」の行草体漢字に大略近似した近似構成片よりなる全体型を覚えておけば、本来の「汁」の行草体漢字の型を習得し易くなる。
【０３５１】
［３３−１．「土」の漢文字の草書体文字］
「土」という漢文字の草書体文字について説明する。
【０３５２】
「土」の漢文字は、図６５に示すような草書体の型で書されている。この「土」の漢文字の草書体を練習して記憶するためには、まず「土」の漢文字の草書体３３１ａを２個の漢文字構成要素としての構成片に分解する。すなわち、中央側構成片と下側構成片の２個の構成片に分解する。
【０３５３】
そして、中央側、下側各構成片に近似する型を有する数字や特殊記号や一般記号やアルファベットや片仮名や平仮名を捜す。
【０３５４】
例えば、中央側構成片は、数字の「１」に近似しており、下側構成片は、数字の「２」に近似している。
このように「土」の草書体漢字の各構成片を「１」と「２」の近似型になぞらえて、これらの各構成片を近似構成片３３２ｂ，３３３ｂとし、これらを記憶し、或はこれら近似構成片３３２ｂ，３３３ｂを見ながら、最終的に「土」の草書体漢字に近似した草書体文字３３１ｂを描くことが出来る。
【０３５５】
このようにして「土」の草書体漢字に大略近似した近似構成片よりなる全体型を覚えておけば、本来の「土」の草書体漢字の型を習得し易くなる。
【０３５６】
［３３−２．「土」の漢文字の行草体文字］
「土」という漢文字の行草体文字について説明する。
【０３５７】
「土」の漢文字は、図６６に示すような行草体の型で書されている。この「土」の漢文字の行草体を練習して記憶するためには、まず「土」の漢文字の行草体３３１ｃを２個の漢文字構成要素としての構成片に分解する。すなわち、中央側構成片と下側構成片の２個の構成片に分解する。
【０３５８】
そして、中央側、下側の各構成片に近似する型を有する数字や特殊記号や一般記号やアルファベットや片仮名や平仮名を捜す。
【０３５９】
例えば、中央側構成片は、片仮名の「ナ」に近似しており、下側構成片は、一般記号の「−」に近似している。
このように「土」の行草体漢字の各構成片を「ナ」と「−」の近似型になぞらえて、これらの各構成片を近似構成片３３２ｄ，３３３ｄとし、これらを記憶し、或はこれら近似構成片３３２ｄ，３３３ｄを見ながら、最終的に「土」の行草体漢字に近似した行草体文字３３１ｄを描くことが出来る。
【０３６０】
このようにして「土」の行草体漢字に大略近似した近似構成片よりなる全体型を覚えておけば、本来の「土」の行草体漢字の型を習得し易くなる。
【０３６１】
［３４−１．「知」の漢文字の草書体文字］
「知」という漢文字の草書体文字について説明する。
【０３６２】
「知」の漢文字は、図６７に示すような草書体の型で書されている。この「知」の漢文字の草書体を練習して記憶するためには、まず「知」の漢文字の草書体３４１ａを５個の漢文字構成要素としての構成片に分解する。すなわち、左上側構成片と左中側構成片と左下側構成片と中央中側構成片と右中側構成片の５個の構成片に分解する。
【０３６３】
そして、左上側、左中側、左下側、中央中側、右中側各構成片に近似する型を有する数字や特殊記号や一般記号やアルファベットや片仮名や平仮名を捜す。
【０３６４】
例えば、左上側構成片は、特殊記号ｃ３に近似しており、左中側構成片は、数字の「３」に近似しており、左下側構成片は、一般記号の「／」に近似しており、中央中側構成片は、特殊記号ｃ３に近似しており、右中側構成片は、片仮名の「フ」に近似している。
このように「知」の草書体漢字の各構成片を特殊記号ｃ３と「３」と「／」と特殊記号ｃ３と「フ」と特殊記号ｃ７の近似型になぞらえて、これらの各構成片を近似構成片３４２ｂ，３４３ｂ，３４４ｂ，３４５ｂ，３４６ｂとし、これらを記憶し、或はこれら近似構成片３４２ｂ，３４３ｂ，３４４ｂ，３４５ｂ，３４６ｂを見ながら、最終的に「知」の草書体漢字に近似した草書体文字３４１ｂを描くことが出来る。
【０３６５】
このようにして「知」の草書体漢字に大略近似した近似構成片よりなる全体型を覚えておけば、本来の「知」の草書体漢字の型を習得し易くなる。
【０３６６】
［３４−２．「知」の漢文字の行草体文字］
「知」という漢文字の行草体文字について説明する。
【０３６７】
「知」の漢文字は、図６８に示すような行草体の型で書されている。この「知」の漢文字の行草体を練習して記憶するためには、まず「知」の漢文字の行草体３４１ｃを４個の漢文字構成要素としての構成片に分解する。すなわち、左上側構成片と第１左下側構成片と第２左下側構成片と右側構成片の４個の構成片に分解する。
【０３６８】
そして、左上側、第１左下側、第２左下側、右側の各構成片に近似する型を有する数字や特殊記号や一般記号やアルファベットや片仮名や平仮名を捜す。
【０３６９】
例えば、左上側構成片は、アルファベットの「ｓ」に近似しており、第１左下側構成片は、片仮名の「ナ」に近似しており、第２左下側構成片は、特殊記号ｃ１に近似しており、右側構成片は、平仮名の「つ」に近似している。
このように「知」の行草体漢字の各構成片を「ｓ」と「ナ」と特殊記号ｃ１と「つ」の近似型になぞらえて、これらの各構成片を近似構成片３４２ｄ，３４３ｄ，３４４ｄ，３４５ｄとし、これらを記憶し、或はこれら近似構成片３４２ｄ，３４３ｄ，３４４ｄ，３４５ｄを見ながら、最終的に「知」の行草体漢字に近似した行草体文字３４１ｄを描くことが出来る。
【０３７０】
このようにして「知」の行草体漢字に大略近似した近似構成片よりなる全体型を覚えておけば、本来の「知」の行草体漢字の型を習得し易くなる。
【０３７１】
［３５−１．「何」の漢文字の草書体文字］
「何」という漢文字の草書体文字について説明する。
【０３７２】
「何」の漢文字は、図６９に示すような草書体の型で書されている。この「何」の漢文字の草書体を練習して記憶するためには、まず「何」の漢文字の草書体３５１ａを３個の漢文字構成要素としての構成片に分解する。すなわち、左側構成片と右上側構成片と右下側構成片の３個の構成片に分解する。
【０３７３】
そして、左側、右上側、右下側各構成片に近似する型を有する数字や特殊記号や一般記号やアルファベットや片仮名や平仮名を捜す。
【０３７４】
例えば、左側構成片は、平仮名の「し」に近似しており、右上側構成片は、一般記号の「−」に近似しており、右下側構成片は、平仮名の「の」に近似している。
このように「何」の草書体漢字の各構成片を「し」と「−」と「の」の近似型になぞらえて、これらの各構成片を近似構成片３５２ｂ，３５３ｂ，３５４ｂとし、これらを記憶し、或はこれら近似構成片３５２ｂ，３５３ｂ，３５４ｂを見ながら、最終的に「何」の草書体漢字に近似した草書体文字３５１ｂを描くことが出来る。
【０３７５】
このようにして「何」の草書体漢字に大略近似した近似構成片よりなる全体型を覚えておけば、本来の「何」の草書体漢字の型を習得し易くなる。
【０３７６】
［３５−２．「何」の漢文字の行草体文字］
「何」という漢文字の行草体文字について説明する。
【０３７７】
「何」の漢文字は、図７０に示すような行草体の型で書されている。この「何」の漢文字の行草体を練習して記憶するためには、まず「何」の漢文字の行草体３５１ｃを４個の漢文字構成要素としての構成片に分解する。すなわち、左上側構成片と左下側構成片と右上側構成片と右下側構成片の４個の構成片に分解する。
【０３７８】
そして、左上側、左下側、右上側、右下側の各構成片に近似する型を有する数字や特殊記号や一般記号やアルファベットや片仮名や平仮名を捜す。
【０３７９】
例えば、左上側構成片は、一般記号の「／」に近似しており、左下側構成片は、特殊記号ｃ１１に近似しており、右上側構成片は、一般記号の「−」に近似しており、右下側構成片は、平仮名の「の」に近似している。
このように「何」の行草体漢字の各構成片を「／」と特殊記号ｃ１１と「−」と「の」の近似型になぞらえて、これらの各構成片を近似構成片３５２ｄ，３５３ｄ，３５４ｄ，３５５ｄとし、これらを記憶し、或はこれら近似構成片３５２ｄ，３５３ｄ，３５４ｄ，３５５ｄを見ながら、最終的に「何」の行草体漢字に近似した行草体文字３５１ｄを描くことが出来る。
【０３８０】
このようにして「何」の行草体漢字に大略近似した近似構成片よりなる全体型を覚えておけば、本来の「何」の行草体漢字の型を習得し易くなる。
【０３８１】
［３６−１．「往」の漢文字の草書体文字］
「往」という漢文字の草書体について説明する。
【０３８２】
「往」の漢文字は、図７１に示すような草書体の型で書されている。この「往」の漢文字の草書体を練習して記憶するためには、まず「往」の漢文字の草書体３６１ａを３個の漢文字構成要素としての構成片に分解する。すなわち、左側構成片と第１右側構成片と第２右側構成片の３個の構成片に分解する。
【０３８３】
そして、左側、第１右側、第２右側の各構成片に近似する型を有する数字や特殊記号や一般記号やアルファベットや片仮名や平仮名を捜す。
【０３８４】
例えば、左側構成片は、一般記号の「（」に近似しており、第１右側構成片は、片仮名の「ナ」に近似しており、第２右側構成片は、数字の「２」に近似している。
このように「往」の草書体漢字の各構成片を「（」と「ナ」と「２」の近似型になぞらえて、これらの各構成片を近似構成片３６２ｂ，３６３ｂ，３６４ｂとし、これらを記憶し、或はこれら近似構成片３６２ｂ，３６３ｂ，３６４ｂを見ながら、最終的に「往」の草書体漢字に近似した草書体文字３６１ｂを描くことが出来る。
【０３８５】
このようにして「往」の草書体漢字に大略近似した近似構成片よりなる全体型を覚えておけば、本来の「往」の草書体漢字の型を習得し易くなる。
【０３８６】
［２９−２．「往」の漢文字の行草体文字］
「往」という漢文字の行草体について説明する。
【０３８７】
「往」の漢文字は、図７２に示すような行草体の型で書されている。この「往」の漢文字の行草体を練習して記憶するためには、まず「往」の漢文字の行草体３６１ｃを６個の漢文字構成要素としての構成片に分解する。すなわち、左上側構成片と左下側構成片と第１右上側構成片と第２右上側構成片と右中央側構成片と右下側構成片の６個の構成片に分解する。
【０３８８】
そして、左上側、左下側、第１右上側、第２右上側、右中央側、右下側の各構成片に近似する型を有する数字や特殊記号や一般記号やアルファベットや片仮名や平仮名を捜す。
【０３８９】
例えば、左上側構成片は、アルファベットの「ｓ」に近似しており、左下側構成片は、特殊記号ｃ１１に近似しており、第１右上側構成片は、特殊記号ｃ１に近似しており、第２右上側構成片は、一般記号の「−」に近似しており、右中央側構成片は、特殊記号ｃ１０に近似しており、右下構成片は、特殊記号ｃ１２に近似している。
このように「往」の行草体漢字の各構成片を「ｓ」と特殊記号ｃ１１と特殊記号ｃ１と「−」と特殊記号ｃ１０と特殊記号ｃ１２の近似型になぞらえて、これらの各構成片を近似構成片３６２ｄ，３６３ｄ，３６４ｄ，３６５ｄ，３６６ｄ，３６７ｄとし、これらを記憶し、或はこれら近似構成片３６２ｄ，３６３ｄ，３６４ｄ，３６５ｄ，３６６ｄ，３６７ｄを見ながら、最終的に「往」の行草体漢字に近似した行草体文字３６１ｄを描くことが出来る。
【０３９０】
このようにして「往」の行草体漢字に大略近似した近似構成片よりなる全体型を覚えておけば、本来の「往」の行草体漢字の型を習得し易くなる。
【０３９１】
［３７−１．「休」の漢文字の草書体文字］
「休」という漢文字の草書体について説明する。
【０３９２】
「休」の漢文字は、図７３に示すような草書体の型で書されている。この「休」の漢文字の草書体を練習して記憶するためには、まず「休」の漢文字の草書体３７１ａを５個の漢文字構成要素としての構成片に分解する。すなわち、左上側構成片と左下構成片と第１右側構成片と第２右側構成片と第３右側構成片の５個の構成片に分解する。
【０３９３】
そして、左上側、左下側、第１右側、第２右側、第３右側の各構成片に近似する型を有する数字や特殊記号や一般記号やアルファベットや片仮名や平仮名を捜す。
【０３９４】
例えば、左上側構成片は、一般記号の「／」に近似しており、左下側構成片は、特殊記号ｃ１１に近似しており、第１右側構成片は、特殊記号ｃ１３に近似しており、第２右側構成片は、一般記号の「／」に近似しており、第３右側構成片は、平仮名の「つ」に近似している。
このように「休」の草書体漢字の各構成片を「／」と特殊記号ｃ１１と特殊記号ｃ１３と「／」と「つ」の近似型になぞらえて、これらの各構成片を近似構成片３７２ｂ，３７３ｂ，３７４ｂ，３７５ｂ，３７６ｂとし、これらを記憶し、或はこれら近似構成片３７２ｂ，３７３ｂ，３７４ｂ，３７５ｂ，３７６ｂを見ながら、最終的に「休」の草書体漢字に近似した草書体文字３７１ｂを描くことが出来る。
【０３９５】
このようにして「休」の草書体漢字に大略近似した近似構成片よりなる全体型を覚えておけば、本来の「休」の草書体漢字の型を習得し易くなる。
【０３９６】
［３７−２．「休」の漢文字の行草体文字］
「休」という漢文字の行草体について説明する。
【０３９７】
「休」の漢文字は、図７４に示すような行草体の型で書されている。この「往」の漢文字の行草体を練習して記憶するためには、まず「休」の漢文字の行草体３７１ｃを５個の漢文字構成要素としての構成片に分解する。すなわち、左上側構成片と左下側構成片と第１右側構成片と第２右側構成片と第３右側構成片の５個の構成片に分解する。
【０３９８】
そして、左上側、左下側、第１右側、第２右側、第３右側の各構成片に近似する型を有する数字や特殊記号や一般記号やアルファベットや片仮名や平仮名を捜す。
【０３９９】
例えば、左上側構成片は、一般記号の「／」に近似しており、左下側構成片は、特殊記号ｃ１１に近似しており、第１右側構成片は、特殊記号ｃ６に近似しており、第２右側構成片は、一般記号の「／」に近似しており、第３右側構成片は、片仮名の「フ」に近似している。
このように「休」の行草体漢字の各構成片を「／」と特殊記号ｃ１１と特殊記号ｃ６と「／」と「フ」の近似型になぞらえて、これらの各構成片を近似構成片３７２ｄ，３７３ｄ，３７４ｄ，３７５ｄ，３７６ｄとし、これらを記憶し、或はこれら近似構成片３７２ｄ，３７３ｄ，３７４ｄ，３７５ｄを見ながら、最終的に「休」の行草体漢字に近似した行草体文字３７１ｄを描くことが出来る。
【０４００】
このようにして「休」の行草体漢字に大略近似した近似構成片よりなる全体型を覚えておけば、本来の「休」の行草体漢字の型を習得し易くなる。
【０４０１】
［３８−１．「細」の漢文字の草書体文字］
「細」という漢文字の草書体について説明する。
【０４０２】
「細」の漢文字は、図７５に示すような草書体の型で書されている。この「細」の漢文字の草書体を練習して記憶するためには、まず「細」の漢文字の草書体３８１ａを３個の漢文字構成要素としての構成片に分解する。すなわち、左側構成片と第１右側構成片と第２右側構成片の３個の構成片に分解する。
【０４０３】
そして、左側、第１右側、第２右側の各構成片に近似する型を有する数字や特殊記号や一般記号やアルファベットや片仮名や平仮名を捜す。
【０４０４】
例えば、左側構成片は、数字の「３」に近似しており、第１右側構成片は、平仮名の「つ」に近似しており、第２右側構成片は、片仮名の「ナ」に近似している。
このように「細」の草書体漢字の各構成片を「３」と「つ」と「ナ」の近似型になぞらえて、これらの各構成片を近似構成片３８２ｂ，３８３ｂ，３８４ｂとし、これらを記憶し、或はこれら近似構成片３８２ｂ，３８３ｂ，３８４ｂを見ながら、最終的に「細」の草書体漢字に近似した草書体文字３８１ｂを描くことが出来る。
【０４０５】
このようにして「細」の草書体漢字に大略近似した近似構成片よりなる全体型を覚えておけば、本来の「細」の草書体漢字の型を習得し易くなる。
【０４０６】
［３８−２．「細」の漢文字の行草体文字］
「細」という漢文字の行草体について説明する。
【０４０７】
「細」の漢文字は、図７６に示すような行草体の型で書されている。この「細」の漢文字の行草体を練習して記憶するためには、まず「細」の漢文字の行草体３８１ｃを６個の漢文字構成要素としての構成片に分解する。すなわち、左上側構成片と左中側構成片と左下側構成片と第１右側構成片と第２右側構成片と第３右側構成片の６個の構成片に分解する。
【０４０８】
そして、左上側、左中側、左下側、第１右側、第２右側、第３右側の各構成片に近似する型を有する数字や特殊記号や一般記号やアルファベットや片仮名や平仮名を捜す。
【０４０９】
例えば、左上側構成片は、一般記号の「／」に近似しており、左中側構成片は、数字の「３」に近似しており、左下側構成片は、特殊記号ｃ３に近似しており、第１右側構成片は、アルファベットの「ｂ」に近似しており、第２右側構成片は、特殊記号ｃ２に近似しており、第３右側構成片は、特殊記号ｃ１１に近似している。
このように「細」の行草体漢字の各構成片を「／」と「３」と特殊記号ｃ３と「ｂ」と特殊記号ｃ２と特殊記号ｃ１１の近似型になぞらえて、これらの各構成片を近似構成片３８２ｄ，３８３ｄ，３８４ｄ，３８５ｄ，３８６ｄ，３８７ｄとし、これらを記憶し、或はこれら近似構成片３８２ｄ，３８３ｄ，３８４ｄ，３８５ｄ，３８６ｄ，３８７ｄを見ながら、最終的に「細」の行草体漢字に近似した行草体文字３８１ｄを描くことが出来る。
【０４１０】
このようにして「細」の行草体漢字に大略近似した近似構成片よりなる全体型を覚えておけば、本来の「細」の行草体漢字の型を習得し易くなる。
【０４１１】
［３９−１．「得」の漢文字の草書体文字］
「得」という漢文字の草書体について説明する。
【０４１２】
「細」の漢文字は、図７７に示すような草書体の型で書されている。この「得」の漢文字の草書体を練習して記憶するためには、まず「得」の漢文字の草書体３９１ａを３個の漢文字構成要素としての構成片に分解する。すなわち、左側構成片と右側構成片と右下側構成片の３個の構成片に分解する。
【０４１３】
そして、左側、右側、右下側の各構成片に近似する型を有する数字や特殊記号や一般記号やアルファベットや片仮名や平仮名を捜す。
【０４１４】
例えば、左側構成片は、平仮名の「し」に近似しており、右側構成片は、平仮名の「ろ」に近似しており、右下側構成片は、特殊記号ｃ１に近似している。
このように「得」の草書体漢字の各構成片を「し」と「ろ」と特殊記号ｃ１の近似型になぞらえて、これらの各構成片を近似構成片３９２ｂ，３９３ｂ，３９４ｂとし、これらを記憶し、或はこれら近似構成片３９２ｂ，３９３ｂ，３９４ｂを見ながら、最終的に「得」の草書体漢字に近似した草書体文字３９１ｂを描くことが出来る。
【０４１５】
このようにして「得」の草書体漢字に大略近似した近似構成片よりなる全体型を覚えておけば、本来の「得」の草書体漢字の型を習得し易くなる。
【０４１６】
［３９−２．「得」の漢文字の行草体文字］
「得」という漢文字の行草体について説明する。
【０４１７】
「得」の漢文字は、図７８に示すような行草体の型で書されている。この「得」の漢文字の行草体を練習して記憶するためには、まず「得」の漢文字の行草体３９１ｃを６個の漢文字構成要素としての構成片に分解する。すなわち、左側構成片と第１右上側構成片と第２右上側構成片と第１右下側構成片と第２右下側構成片と第３右下側構成片の６個の構成片に分解する。
【０４１８】
そして、左側、第１右上側、第２右上側、第１右下側、第２右下側、第３右下側の各構成片に近似する型を有する数字や特殊記号や一般記号やアルファベットや片仮名や平仮名を捜す。
【０４１９】
例えば、左側構成片は、平仮名の「し」に近似しており、第１右上側構成片は、アルファベットの「ｂ」に近似しており、第２右上側構成片は、特殊記号ｃ２に近似しており、第１右下側構成片は、アルファベットの「ｚ」に近似しており、第２右下側構成片は、特殊記号ｃ９に近似しており、第３右下側構成片は、特殊記号ｃ１に近似している。
このように「得」の行草体漢字の各構成片を「し」と「ｂ」と特殊記号ｃ２と「ｚ」と特殊記号ｃ９と特殊記号ｃ１の近似型になぞらえて、これらの各構成片を近似構成片３９２ｄ，３９３ｄ，３９４ｄ，３９５ｄ，３９６ｄ，３９７ｄとし、これらを記憶し、或はこれら近似構成片３９２ｄ，３９３ｄ，３９４ｄ，３９５ｄ，３９６ｄ，３９７ｄを見ながら、最終的に「得」の行草体漢字に近似した行草体文字３９１ｄを描くことが出来る。
【０４２０】
このようにして「得」の行草体漢字に大略近似した近似構成片よりなる全体型を覚えておけば、本来の「得」の行草体漢字の型を習得し易くなる。
【０４２１】
［４０−１．「宙」の漢文字の草書体文字］
「宙」という漢文字の草書体について説明する。
【０４２２】
「宙」の漢文字は、図７９に示すような草書体の型で書されている。この「宙」の漢文字の草書体を練習して記憶するためには、まず「宙」の漢文字の草書体４２１ａを４個の漢文字構成要素としての構成片に分解する。すなわち、上側構成片と第１中央側構成片と第２中央側構成片と第３中央側構成片の４個の構成片に分解する。
【０４２３】
そして、上側、第１中央下側、第２中央側、第３中央側の各構成片に近似する型を有する数字や特殊記号や一般記号やアルファベットや片仮名や平仮名を捜す。
【０４２４】
例えば、上側構成片は、平仮名の「つ」に近似しており、第１中央側構成片は、アルファベットの「ｂ」に近似しており、第２中央側構成片は、特殊記号ｃ２に近似しており、第３中央側構成片は、一般記号の「）」に近似している。
このように「宙」の草書体漢字の各構成片を「つ」と「ｂ」と特殊記号ｃ２と「）」の近似型になぞらえて、これらの各構成片を近似構成片４２２ｂ，４２３ｂ，４２４ｂ，４２５ｂとし、これらを記憶し、或はこれら近似構成片４２２ｂ，４２３ｂ，４２４ｂ，４２５ｂを見ながら、最終的に「宙」の草書体漢字に近似した草書体文字４２１ｂを描くことが出来る。
【０４２５】
このようにして「宙」の草書体漢字に大略近似した近似構成片よりなる全体型を覚えておけば、本来の「宙」の草書体漢字の型を習得し易くなる。
【０４２６】
［４０−２．「宙」の漢文字の行草体文字］
「宙」という漢文字の行草体について説明する。
【０４２７】
「宙」の漢文字は、図８０に示すような行草体の型で書されている。この「宙」の漢文字の行草体を練習して記憶するためには、まず「宙」の漢文字の行草体４２１ｃを４個の漢文字構成要素としての構成片に分解する。すなわち、上側構成片と第１中央側構成片と第２中央側構成片と第３中央側構成片の４個の構成片に分解する。
【０４２８】
そして、上側、第１中央下側、第２中央側、第３中央側の各構成片に近似する型を有する数字や特殊記号や一般記号やアルファベットや片仮名や平仮名を捜す。
【０４２９】
例えば、上側構成片は、平仮名の「う」に近似しており、第１中央側構成片は、アルファベットの「ｂ」に近似しており、第２中央側構成片は、特殊記号ｃ２に近似しており、第３中央側構成片は、一般記号の「）」に近似している。
このように「宙」の行草体漢字の各構成片を「つ」と「ｂ」と特殊記号ｃ２と「）」の近似型になぞらえて、これらの各構成片を近似構成片４２２ｄ，４２３ｄ，４２４ｄ，４２５ｄとし、これらを記憶し、或はこれら近似構成片４２２ｄ，４２３ｄ，４２４ｄ，４２５ｄを見ながら、最終的に「宙」の行草体漢字に近似した行草体文字４２１ｄを描くことが出来る。
【０４３０】
このようにして「宙」の行草体漢字に大略近似した近似構成片よりなる全体型を覚えておけば、本来の「宙」の行草体漢字の型を習得し易くなる。
【０４３１】
以下の漢文字については、草書体文字と行草体文字の型が同じため、一方の漢文字の草書体についてのみ説明を行い、他方の漢文字の行草体については、重複説明を省略する。
【０４３２】
［４１．「私」の漢文字の草書体文字及び行草体文字］
「私」という漢文字の草書体について説明する。なお、行草体の型は、草書体と同一の型であり重複説明を省略する。
【０４３３】
「私」の漢文字は、図８１に示すような草書体の型で書されている。この「私」の漢文字の草書体を練習して記憶するためには、まず「私」の漢文字の草書体４０１ａを４個の漢文字構成要素としての構成片に分解する。すなわち、左上側構成片と第１左下側構成片と第２左下側構成片と右側構成片の４個の構成片に分解する。
【０４３４】
そして、左上側、第１左下側、第２左下側、右側の各構成片に近似する型を有する数字や特殊記号や一般記号やアルファベットや片仮名や平仮名を捜す。
【０４３５】
例えば、左上側構成片は、一般記号の「／」に近似しており、第１左下側構成片は、特殊記号ｃ９に近似しており、第２左下側構成片は、数字の「２」に近似しており、右側構成片は、アルファベットの「ｓ」に近似している。
このように「私」の草書体漢字の各構成片を「／」と特殊記号ｃ９と「２」と「ｓ」の近似型になぞらえて、これらの各構成片を近似構成片４０２ｂ，４０３ｂ，４０４ｂ，４０５ｂとし、これらを記憶し、或はこれら近似構成片４０２ｂ，４０３ｂ，４０４ｂ，４０５ｂを見ながら、最終的に「私」の草書体漢字に近似した草書体文字４０１ｂを描くことが出来る。
【０４３６】
このようにして「私」の草書体漢字に大略近似した近似構成片よりなる全体型を覚えておけば、本来の「私」の草書体漢字の型を習得し易くなる。また、行草体文字については、具体的な説明を省略したが、草書体漢字と同様の効果を奏する。
【０４３７】
［４２．「王」の漢文字の草書体文字及び行草体文字］
「王」という漢文字の草書体について説明する。なお、行草体の型は、草書体と同一の型であり重複説明を省略する。
【０４３８】
「王」の漢文字は、図８２に示すような草書体の型で書されている。この「王」の漢文字の草書体を練習して記憶するためには、まず「王」の漢文字の草書体４１１ａを２個の漢文字構成要素としての構成片に分解する。すなわち、第１中央側構成片と第２中央側構成片の２個の構成片に分解する。
【０４３９】
そして、第１中央側、第２中央側の各構成片に近似する型を有する数字や特殊記号や一般記号やアルファベットや片仮名や平仮名を捜す。
【０４４０】
例えば、第１中央側構成片は、数字の「７」に近似しており、第２中央側構成片は、数字の「２」に近似している。
このように「王」の草書体漢字の各構成片を「７」と「２」の近似型になぞらえて、これらの各構成片を近似構成片４１２ｂ，４１３ｂとし、これらを記憶し、或はこれら近似構成片４１２ｂ，４１３ｂを見ながら、最終的に「王」の草書体漢字に近似した草書体文字４１１ｂを描くことが出来る。
【０４４１】
このようにして「王」の草書体漢字に大略近似した近似構成片よりなる全体型を覚えておけば、本来の「王」の草書体漢字の型を習得し易くなる。また、行草体文字については、具体的な説明を省略したが、草書体漢字と同様の効果を奏する。
【０４４２】
［４３．「信」の漢文字の草書体文字及び行草体文字］
「信」という漢文字の草書体について説明する。なお、行草体の型は、草書体と同一の型であり重複説明を省略する。
【０４４３】
「信」の漢文字は、図８３に示すような草書体の型で書されている。この「信」の漢文字の草書体を練習して記憶するためには、まず「信」の漢文字の草書体４３１ａを４個の漢文字構成要素としての構成片に分解する。すなわち、左側構成片と第１右上側構成片と第２右上側構成片と右下側構成片の４個の構成片に分解する。
【０４４４】
そして、左側、第１右上側、第２右上側、右下側の各構成片に近似する型を有する数字や特殊記号や一般記号やアルファベットや片仮名や平仮名を捜す。
【０４４５】
例えば、左側構成片は、一般記号の「（」に近似しており、第１右上側構成片は、特殊記号ｃ１に近似しており、第２右上側構成片は、一般記号の「−」に近似しており、右下側構成片は、平仮名の「ろ」に近似している。
このように「信」の草書体漢字の各構成片を「（」と特殊記号ｃ１と「−」と「ろ」の近似型になぞらえて、これらの各構成片を近似構成片４３２ｂ，４３３ｂ，４３４ｂ，４３５ｂとし、これらを記憶し、或はこれら近似構成片４３２ｂ，４３３ｂ，４３４ｂ，４３５ｂを見ながら、最終的に「信」の草書体漢字に近似した草書体文字４３１ｂを描くことが出来る。
【０４４６】
このようにして「信」の草書体漢字に大略近似した近似構成片よりなる全体型を覚えておけば、本来の「信」の草書体漢字の型を習得し易くなる。また、行草体文字については、具体的な説明を省略したが、草書体漢字と同様の効果を奏する。
【０４４７】
［４４．「南」の漢文字の草書体文字及び行草体文字］
「南」という漢文字の草書体について説明する。なお、行草体の型は、草書体と同一の型であり重複説明を省略する。
【０４４８】
「南」の漢文字は、図８４に示すような草書体の型で書されている。この「南」の漢文字の草書体を練習して記憶するためには、まず「南」の漢文字の草書体４４１ａを３個の漢文字構成要素としての構成片に分解する。すなわち、第１中央側構成片と第２中央側構成片と第３中央側構成片の３個の構成片に分解する。
【０４４９】
そして、第１中央側、第２中央側、第３中央側の各構成片に近似する型を有する数字や特殊記号や一般記号やアルファベットや片仮名や平仮名を捜す。
【０４５０】
例えば、第１中央側構成片は、平仮名の「ち」に近似しており、第２中央側構成片は、アルファベットの「ｚ」に近似しており、第３中央側構成片は、数字の「１」に近似している。
このように「南」の草書体漢字の各構成片を「ち」と「ｚ」と「１」の近似型になぞらえて、これらの各構成片を近似構成片４４２ｂ，４４３ｂ，４４４ｂとし、これらを記憶し、或はこれら近似構成片４４２ｂ，４４３ｂ，４４４ｂを見ながら、最終的に「南」の草書体漢字に近似した草書体文字４４１ｂを描くことが出来る。
【０４５１】
このようにして「南」の草書体漢字に大略近似した近似構成片よりなる全体型を覚えておけば、本来の「南」の草書体漢字の型を習得し易くなる。また、行草体文字については、具体的な説明を省略したが、草書体漢字と同様の効果を奏する。
【０４５２】
［４５．「引」の漢文字の草書体文字及び行草体文字］
「引」という漢文字の草書体について説明する。なお、行草体の型は、草書体と同一の型であり重複説明を省略する。
【０４５３】
「引」の漢文字は、図８５に示すような草書体の型で書されている。この「引」の漢文字の草書体を練習して記憶するためには、まず「引」の漢文字の草書体４５１ａを２個の漢文字構成要素としての構成片に分解する。すなわち、左側構成片と右側構成片の２個の構成片に分解する。
【０４５４】
そして、左側、右側の各構成片に近似する型を有する数字や特殊記号や一般記号やアルファベットや片仮名や平仮名を捜す。
【０４５５】
例えば、左側構成片は、数字の「３」に近似しており、右側構成片は、数字の「１」に近似している。
このように「引」の草書体漢字の各構成片を「３」と「１」の近似型になぞらえて、これらの各構成片を近似構成片４５２ｂ，４５３ｂとし、これらを記憶し、或はこれら近似構成片４５２ｂ，４５３ｂを見ながら、最終的に「引」の草書体漢字に近似した草書体文字４５１ｂを描くことが出来る。
【０４５６】
このようにして「引」の草書体漢字に大略近似した近似構成片よりなる全体型を覚えておけば、本来の「引」の草書体漢字の型を習得し易くなる。また、行草体文字については、具体的な説明を省略したが、草書体漢字と同様の効果を奏する。
【０４５７】
［４６．「赤」の漢文字の草書体文字及び行草体文字］
「赤」という漢文字の草書体について説明する。なお、行草体の型は、草書体と同一の型であり重複説明を省略する。
【０４５８】
「赤」の漢文字は、図８６に示すような草書体の型で書されている。この「赤」の漢文字の草書体を練習して記憶するためには、まず「赤」の漢文字の草書体４６１ａを４個の漢文字構成要素としての構成片に分解する。すなわち、上側構成片と中央下側構成片と左下側構成片と右下側構成片の４個の構成片に分解する。
【０４５９】
そして、上側、中央下側、左下側、右下側の各構成片に近似する型を有する数字や特殊記号や一般記号やアルファベットや片仮名や平仮名を捜す。
【０４６０】
例えば、上側構成片は、片仮名の「ナ」に近似しており、中央下側構成片は、数字の「７」に近似しており、左下側構成片は、アルファベットの「ｖ」に近似しており、右下側構成片は、アルファベットの「ｓ」に近似している。
このように「赤」の草書体漢字の各構成片を「ナ」と「７」と「ｖ」と「ｓ」の近似型になぞらえて、これらの各構成片を近似構成片４６２ｂ，４６３ｂ，４６４ｂ，４６５ｂとし、これらを記憶し、或はこれら近似構成片４６２ｂ，４６３ｂ，４６４ｂ，４６５ｂを見ながら、最終的に「赤」の草書体漢字に近似した草書体文字４６１ｂを描くことが出来る。
【０４６１】
このようにして「赤」の草書体漢字に大略近似した近似構成片よりなる全体型を覚えておけば、本来の「赤」の草書体漢字の型を習得し易くなる。また、行草体文字については、具体的な説明を省略したが、草書体漢字と同様の効果を奏する。
【０４６２】
［４７．「夕」の漢文字の草書体文字及び行草体文字］
「夕」という漢文字の草書体について説明する。なお、行草体の型は、草書体と同一の型であり重複説明を省略する。
【０４６３】
「夕」の漢文字は、図８７に示すような草書体の型で書されている。この「夕」の漢文字の草書体を練習して記憶するためには、まず「夕」の漢文字の草書体４７１ａを２個の漢文字構成要素としての構成片に分解する。すなわち、第１中央側構成片と第２中央側構成片の２個の構成片に分解する。
【０４６４】
そして、第１中央側、第２中央側の各構成片に近似する型を有する数字や特殊記号や一般記号やアルファベットや片仮名や平仮名を捜す。
【０４６５】
例えば、第１中央側構成片は、アルファベットの「ｓ」に近似しており、第２中央側構成片は、一般記号の「）」に近似している。
このように「夕」の草書体漢字の各構成片「ｓ」と「）」の近似型になぞらえて、これらの各構成片を近似構成片４７２ｂ，４７３ｂとし、これらを記憶し、或はこれら近似構成片４７２ｂ，４７３ｂを見ながら、最終的に「夕」の草書体漢字に近似した草書体文字４７１ｂを描くことが出来る。
【０４６６】
このようにして「夕」の草書体漢字に大略近似した近似構成片よりなる全体型を覚えておけば、本来の「夕」の草書体漢字の型を習得し易くなる。また、行草体文字については、具体的な説明を省略したが、草書体漢字と同様の効果を奏する。
【０４６７】
［４８．「林」の漢文字の草書体文字及び行草体文字］
「林」という漢文字の草書体について説明する。なお、行草体の型は、草書体と同一の型であり重複説明を省略する。
【０４６８】
「林」の漢文字は、図８８に示すような草書体の型で書されている。この「林」の漢文字の草書体を練習して記憶するためには、まず「林」の漢文字の草書体４８１ａを３個の漢文字構成要素としての構成片に分解する。すなわち、第１中央側構成片と第２中央側構成片と右中央側構成片の３個の構成片に分解する。
【０４６９】
そして、第１中央側、第２中央側、右中央側の各構成片に近似する型を有する数字や特殊記号や一般記号やアルファベットや片仮名や平仮名を捜す。
【０４７０】
例えば、第１中央側構成片は、片仮名の「リ」に近似しており、第２中央側構成片は、アルファベットの「ｚ」に近似しており、右中央側構成片は、一般記号の「／」に近似している。
このように「林」の草書体漢字の各構成片を「リ」と「ｚ」と「／」の近似型になぞらえて、これらの各構成片を近似構成片４８２ｂ，４８３ｂ，４８４ｂとし、これらを記憶し、或はこれら近似構成片４８２ｂ，４８３ｂ，４８４ｂを見ながら、最終的に「林」の草書体漢字に近似した草書体文字４８１ｂを描くことが出来る。
【０４７１】
このようにして「林」の草書体漢字に大略近似した近似構成片よりなる全体型を覚えておけば、本来の「林」の草書体漢字の型を習得し易くなる。また、行草体文字については、具体的な説明を省略したが、草書体漢字と同様の効果を奏する。
【０４７２】
［４９．「百」の漢文字の草書体文字及び行草体文字］
「百」という漢文字の草書体について説明する。なお、行草体の型は、草書体と同一の型であり重複説明を省略する。
【０４７３】
「百」の漢文字は、図８９に示すような草書体の型で書されている。この「百」の漢文字の草書体を練習して記憶するためには、まず「百」の漢文字の草書体４９１ａを３個の漢文字構成要素としての構成片に分解する。すなわち、上側構成片と第１中央側構成片と第２中央側構成片の３個の構成片に分解する。
【０４７４】
そして、上側、第１中央側、第２中央側の各構成片に近似する型を有する数字や特殊記号や一般記号やアルファベットや片仮名や平仮名を捜す。
【０４７５】
例えば、上側構成片は、一般記号の「−」に近似しており、第１中央側構成片は、アルファベットの「ｂ」に近似しており、第２中央側構成片は、特殊記号ｃ２に近似している。
このように「百」の草書体漢字の各構成片を「−」と「ｂ」と特殊記号ｃ２の近似型になぞらえて、これらの各構成片を近似構成片４９２ｂ，４９３ｂ，４９４ｂとし、これらを記憶し、或はこれら近似構成片４９２ｂ，４９３ｂ，４９４ｂを見ながら、最終的に「百」の草書体漢字に近似した草書体文字４９１ｂを描くことが出来る。
【０４７６】
このようにして「百」の草書体漢字に大略近似した近似構成片よりなる全体型を覚えておけば、本来の「百」の草書体漢字の型を習得し易くなる。また、行草体文字については、具体的な説明を省略したが、草書体漢字と同様の効果を奏する。
【０４７７】
［５０．「糸」の漢文字の草書体文字及び行草体文字］
「糸」という漢文字の草書体について説明する。なお、行草体の型は、草書体と同一の型であり重複説明を省略する。
【０４７８】
「糸」の漢文字は、図９０に示すような草書体の型で書されている。この「糸」の漢文字の草書体を練習して記憶するためには、まず「糸」の漢文字の草書体５０１ａを５個の漢文字構成要素としての構成片に分解する。すなわち、中央上側構成片と中央中側構成片と中央下側構成片と左下側構成片と右下側構成片の５個の構成片に分解する。
【０４７９】
そして、中央上側、中央中側、中央下側、左下側、右下側の各構成片に近似する型を有する数字や特殊記号や一般記号やアルファベットや片仮名や平仮名を捜す。
【０４８０】
例えば、中央上側構成片は、アルファベットの「ｓ」に近似しており、中央中側構成片は、平仮名の「つ」に近似しており、中央下側構成片は、特殊記号ｃ９に近似しており、左下側構成片は、特殊記号ｃ３に近似しており、右下側構成片は、一般記号の「）」に近似している。
このように「糸」の草書体漢字の各構成片を「ｓ」と「つ」と特殊記号ｃ９と特殊記号ｃ３と「）」の近似型になぞらえて、これらの各構成片を近似構成片５０２ｂ，５０３ｂ，５０４ｂ，５０５ｂ，５０６ｂとし、これらを記憶し、或はこれら近似構成片５０２ｂ，５０３ｂ，５０４ｂ，５０５ｂ，５０６ｂを見ながら、最終的に「糸」の草書体漢字に近似した草書体文字５０１ｂを描くことが出来る。
【０４８１】
このようにして「糸」の草書体漢字に大略近似した近似構成片よりなる全体型を覚えておけば、本来の「糸」の草書体漢字の型を習得し易くなる。また、行草体文字については、具体的な説明を省略したが、草書体漢字と同様の効果を奏する。
【０４８２】
この発明の実施例１〜５０は、上記のように構成されているものであり、まず、最初に草書体或は行草体の漢文字を最小構成片に分解することから始める。そして、最小構成片に分解した各構成片に近似する型を有する数字や記号やアルファベットや片仮名や平仮名等を捜す。
【０４８３】
これらの近似する型を捜すに際しては、我々が日常使用し、目にしている普遍的な型を捜すことが必要である。何故ならば、その方が近似型を捜し易く、また、記憶し易いし反復して書し易いからである。
【０４８４】
これらの近似型を捜したら各近似型を組み合わせて、所定の漢字の草書体或は行草体に近似した書体となるようにする。この草書体或は行草体に近似した書体の筆順は、予め捜した近似型の構成片の組み合わせの筆順と同じになるようにする。
【０４８５】
すなわち、予め捜した近似型の構成片は、本来の草書体或は行草体の筆順と同じになるような筆順を有する近似型の構成片であることを必要とする。このような近似構成片を選択することにより、草書体或は行草体の書体の型のみならず筆順までも自然に覚えることが可能となる。
【０４８６】
［草書体文字及び行草体文字の練習方法］
本発明の実施例の草書体文字及び行草体文字の練習方法に使用するテキストとしては次のような形態が考えられる。すなわち、図９１〜図１１５に示すように左側欄に楷書体の文字を１文字ずつ列記する。その右側欄の上側欄に草書体の文字、下側欄に行草体の文字を記載する。
【０４８７】
そして、さらに右側欄の上側欄には、草書体文字に近似した近似構成片を書いておく。右側欄の下側欄には、行草体文字に近似した近似構成片を書いておく。
【０４８８】
（１）草書体文字をいくつかの構成片に分解した後に各構成片に近似した数字やアルファベット等の近似構成片を選択し、これらの近似構成片を組合せて草書体文字に近似した草書体近似型とする。そして、この草書体近似型の欄の右側には、必要に応じて空白欄を設けて近似構成片を手本にしながら練習が出来るようにしている。
【０４８９】
このように草書体の典型となるような所定文字について、それぞれの文字の草書体を構成する複数の構成片に分解して、各構成片に近似した数字やアルファベット等の近似構成片を選択し、これらの近似構成片によって草書体文字の全体の型に近似した組み合わせを行い、草書体近似型をつくる。草書体の練習を行う人は、この近似草書体たる草書体近似型を基本的な型として、本来の草書体を見ながら草書体文字の練習を行う。
【０４９０】
特に、近似草書体を選択する場合は、数字やアルファベットや記号や片仮名や平仮名等の日常使用する近似構成片のうち、特に草書体の筆順に適合するような近似構成片を選択することにより、更に本来の草書体に近い状態で近似構成片を基にして草書体文字の書き方の練習が行える。
【０４９１】
（２）行草体文字をいくつかの構成片に分解した後に各構成片に近似した数字やアルファベット等の近似構成片を選択し、これらの近似構成片を組合せて行草体文字に近似した行草体近似型とする。そして、この行草体近似型の欄の右側には、必要に応じて空白欄を設けて近似構成片を手本にしながら練習が出来るようにしている。
【０４９２】
このように行草体の典型となるような所定文字について、それぞれの文字の行草体を構成する複数の構成片に分解して、各構成片に近似した数字やアルファベット等の近似構成片を選択し、これらの近似構成片によって行草体文字の全体の型に近似した組み合わせを行い、行草体近似型をつくる。行草体の練習を行う人は、この近似行草体たる行草体近似型を基本的な型として、本来の行草体を見ながら行草体文字の練習を行う。
【０４９３】
特に、近似行草体を選択する場合は、数字やアルファベットや記号や片仮名や平仮名等の日常使用する近似構成片のうち、特に行草体の筆順に適合するような近似構成片を選択することにより、更に本来の行草体に近い状態で近似構成片を基にして行草体文字の書き方の練習が行える。
【符号の説明】
【０４９４】
１１  行草体
１２  左側構成片
１３  中央構成片
１４  右側構成片
１５，１６，１７  近似構成片
１８  行草体文字
【図１】
2011221379.tif 000003
【図２】
2011221379.tif 000004
【図３】
2011221379.tif 000005
【図４】
2011221379.tif 000006
【図５】
2011221379.tif 000007
【図６】
2011221379.tif 000008
【図７】
2011221379.tif 000009
【図８】
2011221379.tif 000010
【図９】
2011221379.tif 000011
【図１０】
2011221379.tif 000012
【図１１】
2011221379.tif 000013
【図１２】
2011221379.tif 000014
【図１３】
2011221379.tif 000015
【図１４】
2011221379.tif 000016
【図１５】
2011221379.tif 000017
【図１６】
2011221379.tif 000018
【図１７】
2011221379.tif 000019
【図１８】
2011221379.tif 000020
【図１９】
2011221379.tif 000021
【図２０】
2011221379.tif 000022
【図２１】
2011221379.tif 000023
【図２２】
2011221379.tif 000024
【図２３】
2011221379.tif 000025
【図２４】
2011221379.tif 000026
【図２５】
2011221379.tif 000027
【図２６】
2011221379.tif 000028
【図２７】
2011221379.tif 000029
【図２８】
2011221379.tif 000030
【図２９】
2011221379.tif 000031
【図３０】
2011221379.tif 000032
【図３１】
2011221379.tif 000033
【図３２】
2011221379.tif 000034
【図３３】
2011221379.tif 000035
【図３４】
2011221379.tif 000036
【図３５】
2011221379.tif 000037
【図３６】
2011221379.tif 000038
【図３７】
2011221379.tif 000039
【図３８】
2011221379.tif 000040
【図３９】
2011221379.tif 000041
【図４０】
2011221379.tif 000042
【図４１】
2011221379.tif 000043
【図４２】
2011221379.tif 000044
【図４３】
2011221379.tif 000045
【図４４】
2011221379.tif 000046
【図４５】
2011221379.tif 000047
【図４６】
2011221379.tif 000048
【図４７】
2011221379.tif 000049
【図４８】
2011221379.tif 000050
【図４９】
2011221379.tif 000051
【図５０】
2011221379.tif 000052
【図５１】
2011221379.tif 000053
【図５２】
2011221379.tif 000054
【図５３】
2011221379.tif 000055
【図５４】
2011221379.tif 000056
【図５５】
2011221379.tif 000057
【図５６】
2011221379.tif 000058
【図５７】
2011221379.tif 000059
【図５８】
2011221379.tif 000060
【図５９】
2011221379.tif 000061
【図６０】
2011221379.tif 000062
【図６１】
2011221379.tif 000063
【図６２】
2011221379.tif 000064
【図６３】
2011221379.tif 000065
【図６４】
2011221379.tif 000066
【図６５】
2011221379.tif 000067
【図６６】
2011221379.tif 000068
【図６７】
2011221379.tif 000069
【図６８】
2011221379.tif 000070
【図６９】
2011221379.tif 000071
【図７０】
2011221379.tif 000072
【図７１】
2011221379.tif 000073
【図７２】
2011221379.tif 000074
【図７３】
2011221379.tif 000075
【図７４】
2011221379.tif 000076
【図７５】
2011221379.tif 000077
【図７６】
2011221379.tif 000078
【図７７】
2011221379.tif 000079
【図７８】
2011221379.tif 000080
【図７９】
2011221379.tif 000081
【図８０】
2011221379.tif 000082
【図８１】
2011221379.tif 000083
【図８２】
2011221379.tif 000084
【図８３】
2011221379.tif 000085
【図８４】
2011221379.tif 000086
【図８５】
2011221379.tif 000087
【図８６】
2011221379.tif 000088
【図８７】
2011221379.tif 000089
【図８８】
2011221379.tif 000090
【図８９】
2011221379.tif 000091
【図９０】
2011221379.tif 000092
【図９１】
2011221379.tif 000093
【図９２】
2011221379.tif 000094
【図９３】
2011221379.tif 000095
【図９４】
2011221379.tif 000096
【図９５】
2011221379.tif 000097
【図９６】
2011221379.tif 000098
【図９７】
2011221379.tif 000099
【図９８】
2011221379.tif 000100
【図９９】
2011221379.tif 000101
【図１００】
2011221379.tif 000102
【図１０１】
2011221379.tif 000103
【図１０２】
2011221379.tif 000104
【図１０３】
2011221379.tif 000105
【図１０４】
2011221379.tif 000106
【図１０５】
2011221379.tif 000107
【図１０６】
2011221379.tif 000108
【図１０７】
2011221379.tif 000109
【図１０８】
2011221379.tif 000110
【図１０９】
2011221379.tif 000111
【図１１０】
2011221379.tif 000112
【図１１１】
2011221379.tif 000113
【図１１２】
2011221379.tif 000114
【図１１３】
2011221379.tif 000115
【図１１４】
2011221379.tif 000116
【図１１５】
2011221379.tif 000117
【図１１６】
2011221379.tif 000118
【図１１７】
2011221379.tif 000119